(57)【要約】【課題】通信システムにおけるマルチキャストサービス開始のための方法およびシステム。【解決手段】セルラー電話システムがマルチキャストサービスとポイントツーポイントサービスの両方を提供できるようにするためのセルラー電話システムにおけるマルチキャストサービス通知のための方法およびシステムが開示される。複数の実施形態が、アクセスネットワークがマルチキャストサービスの加入者設備に適切に通知できるようにするためのアクセスネットワークとマルチキャストグループに属する加入者設備の間のシグナリング対話を説明する。このようなシグナリングは、さらに加入者設備がマルチキャストサービス通知を認識し、マルチキャストサービスに参加できるようにする。
2005533414.tif 000002
【特許請求の範囲】
【請求項１】
マルチキャストグループ識別子を決定し、そして
第１のチャネルで少なくとも１つの周期的に繰り返されるメッセージにマルチキャストグループ識別子を含めること、
を含む通信システムにおけるマルチキャストサービス通知のための方法。
【請求項２】
マルチキャストグループ識別子を前記決定することは、
通信システムのエンティティからマルチキャストグループ識別子を受信することを含む請求項１に記載の方法。
【請求項３】
マルチキャストグループ識別子を前記決定することは、
マルチキャストグループに属する加入者設備のアイデンティティを受信することと、そして
加入者設備のアイデンティティに従ってマルチキャストグループ識別子を決定することを含む請求項１に記載の方法。
【請求項４】
マルチキャストグループ識別子によって識別される加入者設備についてマルチキャストサービスの終了インジケータを受信し、
マルチキャストグループ識別子があらゆる周期的に繰り返されるメッセージの中に含まれる場合に、第１のチャネル上で周期的に繰り返されるメッセージからマルチキャストグループ識別子を削除することをさらに含む請求項１に記載の方法。
【請求項５】
マルチキャストグループ識別子により識別される加入者設備についてマルチキャストサービスの終了インジケータを受信し、そして
マルチキャストグループ識別子が全ての周期的に繰り返されるメッセージに含まれない場合は、第２のチャネル上で伝達される信号の中に終了インジケータを含めることをさらに含む請求項１に記載の方法。
【請求項６】
終了インジケータを第２のチャネル上で伝達される信号の中に前記含めることは、
マルチキャストサービスを伝達するチャネル上で伝達される信号の中に終了インジケータを含めることを含む請求項５に記載の方法。
【請求項７】
チャネル上で周期的に繰り返されるメッセージを監視し、そして
マルチキャストサービス通知が周期的に繰り返されるメッセージに含まれたかどうかを判断するために、周期的に繰り返されるメッセージを復号することを含む、
通信システムにおける加入者設備のマルチキャストサービス通知のための方法。
【請求項８】
マルチキャストサービスを伝達するチャネルを受信することをさらに含む請求項７に記載の方法。
【請求項９】
マルチキャストサービスを伝達するチャネル上で終了インジケータを受信し、そして
マルチキャストサービスを伝達するチャネルの受信を中断することをさらに含む、請求項８に記載の方法。
【請求項１０】
第２のチャネル上で終了インジケータを受信し、そして
マルチキャストサービスを伝達するチャネルの受信を中断することをさらに含む、請求項８に記載の方法。
【請求項１１】
プロセッサと、そして
プロセッサに結合され、
マルチキャストグループ識別子を決定し、
第１のチャネル上の少なくとも１つの周期的に繰り返されるメッセージにマルチキャストグループ識別子を含めるために、
プロセッサにより実行可能な一連の命令を含む記憶媒体とを備える
通信システムにおけるマルチキャストサービス通知のための装置。
【請求項１２】
前記プロセッサは、
通信システムのエンティティからマルチキャストグループ識別子を受信するために、一連の命令を処理することによりマルチキャストグループ識別子を決定することを特徴とする請求項１１に記載の装置。
【請求項１３】
前記プロセッサは、
マルチキャストグループに属する加入者設備のアイデンティティを受信し、そして
加入者設備のアイデンティティに従ってマルチキャストグループ識別子を決定するために、
一連の命令を処理することによりマルチキャストグループ識別子を決定することを特徴とする請求項１１に記載の装置。
【請求項１４】
前記プロセッサは、さらに
マルチキャストグループ識別子によって識別される加入者設備についてマルチキャストサービスの終了インジケータを受信し、そして
マルチキャストグループ識別子が全ての周期的に繰り返されるメッセージに含まれる場合は、第１のチャネル上で周期的に繰り返されるメッセージからマルチキャストグループ識別子を削除するように、構成されることを特徴とする請求項１１に記載の装置。
【請求項１５】
前記プロセッサは、さらに
マルチキャストグループ識別子によって識別される加入者設備についてマルチキャストサービスの終了インジケータを受信し、そして
マルチキャストグループ識別子が全ての周期的に繰り返されるメッセージに含まれない場合は、第２のチャネル上で伝達される信号の中に終了インジケータを含むように構成されることを特徴とする請求項１１に記載の装置。
【請求項１６】
前記プロセッサは、
マルチキャストサービスを伝達するチャネル上で伝達される信号の中に終了インジケータを含めるために一連の命令を処理することにより、第２のチャネル上で伝達される信号の中に終了インジケータを含めることを特徴とする請求項１５に記載の装置。
【請求項１７】
前記プロセッサおよび前記記憶媒体が基地局内に配置されることを特徴とする請求項１７に記載の装置。
【請求項１８】
マルチキャストグループ識別子が、基地局とは異なる通信システムのエンティティから受信されることを特徴とする請求項１７に記載の装置。
【請求項１９】
チャネル上で周期的に繰り返されるメッセージを監視し、そして
マルチキャストサービス通知が周期的に繰り返されるメッセージの中に含まれていたかどうかを判断するために、周期的に繰り返されるメッセージを復号するように構成される加入者設備を備える、
通信システムにおけるマルチキャストサービス通知のための装置。
【請求項２０】
前記加入者設備は、
マルチキャストサービスを伝達するチャネルを受信するようにさらに構成される請求項１９に記載の装置。
【請求項２１】
前記加入者設備は、
マルチキャストサービスを伝達するチャネル上で終了インジケータを受信し、そして
マルチキャストサービスを伝達するチャネルの受信を中断するようにさらに構成されることを特徴とする請求項２０に記載の装置。
【請求項２２】
前記加入者設備は、
第２のチャネル上で終了インジケータを受信し、そして
マルチキャストサービスを伝達するチャネルの受信を中断するようにさらに構成されることを特徴とする請求項１９に記載の装置。
【請求項２３】
マルチキャストグループに属する加入者設備のアイデンティティを決定し、
加入者設備のアイデンティティに従ってチャネルのスロットを決定し、そして
チャネル上のスロットによりマルチキャストサービス通知を送信することを含む、
通信システムにおけるマルチキャストサービス通知のための方法。
【請求項２４】
マルチキャストグループに属する加入者設備のアイデンティティを前記決定することは、
通信システムのエンティティから加入者設備のアイデンティティを受信することを含む請求項２３に記載の方法。
【請求項２５】
マルチキャストグループに属する加入者設備のアイデンティティを前記決定することは、
通信システムのエンティティからマルチキャストグループ識別子を受信し、そして
マルチキャストグループ識別子に従って加入者設備のアイデンティティを決定することを含む請求項２３に記載の方法。
【請求項２６】
チャネルのスロットを監視し、そして
マルチキャストサービス通知がメッセージに含まれていたかどうかを判断するためにスロットで伝達されるメッセージを復号することを含む、
通信システムにおけるマルチキャストサービス通知のための方法。
【請求項２７】
チャネルのスロットを監視することが、
加入者設備のアイデンティティに従ってスロットを決定することを含む請求項２６に記載の方法。
【請求項２８】
プロセッサと、そして
プロセッサに結合され、
マルチキャストグループに属する加入者設備のアイデンティティを決定し、
加入者設備のアイデンティティに対応するチャネルのスロットを決定し、そして
チャネル上のスロットでマルチキャストサービス通知を送信するために、プロセッサによって実行可能な一連の命令を含む記憶媒体とを含む、
通信システムにおけるマルチキャストサービス通知のための装置。
【請求項２９】
チャネルのスロットを監視し、そして
マルチキャストサービス通知がメッセージに含まれていたかどうかを判断するためにスロットにより伝達されるメッセージを復号するように構成される加入者設備を備える、
通信システムにおける加入者設備のマルチキャストサービス通知のための装置。
【請求項３０】
第１のチャネル上で所定のスロットの中にインジケータを含め、そして
マルチキャストサービス通知がインジケータによって示されていた場合に、第２のチャネル上のスロットにより伝達されるメッセージの中にマルチキャストサービス通知を含め、前記スロットが第１のチャネル上の所定のスロットに対応することを含む、
通信システムにおけるマルチキャストサービス通知のための方法。
【請求項３１】
所定のスロットの中にインジケータを前記含めることは、
放送ページングサイクルを決定し、そして
各放送ページングサイクルのｎ番目のスロットの中にインジケータを含めることを含む請求項３０に記載の方法。
【請求項３２】
各放送ページングサイクルのｎ番目のスロットの中にインジケータを前記含めることは、
各放送ページングサイクルの第１のスロットにインジケータを含めることを含む請求項３１に記載の方法。
【請求項３３】
第２のチャネル上のスロットで伝達されるメッセージの中にマルチキャストサービス通知を前記含めることは、
第２のチャネル上のスロットにマルチキャストサービス通知を含め、前記スロットは所定の間隔で第１のチャネル上の所定のスロットから偏位されている、請求項３０に記載の方法。
【請求項３４】
第１のチャネルにおける所定のスロットからインジケータを復号し、そして
マルチキャストサービス通知がインジケータにより示された場合に、第２のチャネル上のスロット内のマルチキャストサービス通知を復号することを含み、前記スロットは第１のチャネル上の所定のスロットに対応する
通信システムにおける加入者設備のマルチキャストサービス通知のための方法。
【請求項３５】
第１のチャネル上の所定のスロットからインジケータを復号することが、
放送ページングサイクルを決定し、そして
各放送ページングサイクルのｎ番目のスロットのインジケータを復号することを含む、
請求項３４に記載の方法。
【請求項３６】
各放送ページングサイクルのｎ番目のスロットの中のインジケータを前記復号することは、
各放送ページングサイクルの第１のスロットの中のインジケータを復号することを含む、請求項３５に記載の方法。
【請求項３７】
第２のチャネル上のスロット内のマルチキャストサービス通知を前記復号することは、
第２のチャネル上のスロット内のマルチキャストサービス通知を復号することを含み、前記スロットは所定の間隔で第１のチャネル上の所定のスロットから偏位されている、請求項３４に記載の方法。
【請求項３８】
プロセッサと、そして
プロセッサに結合され、
第１のチャネル上の所定のスロットの中にインジケータを含め、そして
マルチキャストサービス通知がインジケータにより示されていた場合に、第２のチャネル上のスロットにより伝達されるメッセージの中にマルチキャストサービス通知を含めるために、ここで前記スロットは第１のチャネル上の所定のスロットに対応しており、
プロセッサにより実行可能な一連の命令を含む記憶媒体とを備える、
通信システムにおけるマルチキャストサービス通知のための装置。
【請求項３９】
前記プロセッサは、
放送ページングサイクルを決定し、そして
各放送ページングサイクルのｎ番目のスロットの中にインジケータを含めるために
一連の命令を実行することによって、所定のスロットの中にインジケータを含めることを特徴とする請求項３８に記載の装置。
【請求項４０】
前記プロセッサは、
各放送ページングサイクルの第１のスロットの中にインジケータを含めるために一連の命令を実行することによって、各放送ページングサイクルのｎ番目のスロットの中にインジケータを含めることを特徴とする請求項３９に記載の装置。
【請求項４１】
前記プロセッサは、
第２のチャネル上のスロットにマルチキャストサービス通知を含め、前記スロットが所定の間隔で第１のチャネル上の所定のスロットから偏位されるために一連の命令を実行することによって、第２のチャネル上のスロットで伝達されるメッセージの中にマルチキャストサービス通知を含めることを特徴とする請求項３８に記載の装置。
【請求項４２】
前記プロセッサおよび前記記憶媒体は基地局内に配置されることを特徴とする請求項３８に記載の装置。
【請求項４３】
第１のチャネル上の所定のスロットからインジケータを復号し、そして
マルチキャストサービス通知がインジケータにより示されていた場合に、第２のチャネル上のスロットでマルチキャストサービス通知を復号し、前記スロットが第１のチャネル上の所定のスロットに対応するように構成される加入者設備を備える
通信システムにおける加入者設備のマルチキャストサービス通知のための装置。
【請求項４４】
前記加入者設備は、
放送ページングサイクルを決定し、そして
各放送ページングサイクルのｎ番目のスロットの中のインジケータを復号するように構成することにより、
第１のチャネル上の所定のスロットからインジケータを復号することを特徴とする請求項４３に記載の装置。
【請求項４５】
前記加入者設備は、
各放送ページングサイクルの第１のスロットのインジケータを復号するように構成することにより、
各放送ページングサイクルのｎ番目のスロット内のインジケータを復号することを特徴とする請求項４４に記載の装置。
【請求項４６】
前記加入者設備は、
第２のチャネル上のスロットの中のマルチキャストサービス通知を復号し、前記スロットが所定の間隔で第１のチャネル上の所定のスロットから偏位されるように構成されることによって、第２のチャネル上のスロットの中のマルチキャストサービス通知を復号することを特徴とする請求項４３に記載の装置。
【請求項４７】
第１のチャネル上の第１のスロット内にインジケータを含め、そして
マルチキャストサービス通知がインジケータによって示された場合に、第２のチャネル上の第２のスロットで伝達されるメッセージにマルチキャストサービス通知を含め、前記第２のスロットが第１のスロットに対応する、
通信システムにおけるマルチキャストサービス通知のための方法。
【請求項４８】
第１のスロットの中にインジケータを前記含めることは、
マルチキャストページングサイクルを決定し、そして
マルチキャストページングサイクルおよびマルチキャストグループ識別子に従って第１のスロット決定することを含む請求項４７に記載の方法。
【請求項４９】
マルチキャストページングサイクルおよびマルチキャストグループ識別子に従って第１のスロットを前記決定することは、
ハッシング関数の中にマルチキャストページングサイクルおよびマルチキャストグループ識別子を入力し、そして
ハッシング関数により出力される値に第１のスロットを設定することを含む、請求項４８に記載の方法。
【請求項５０】
第２のチャネル上の第２のスロットにより伝達されるメッセージの中にマルチキャストサービス通知を前記含めることは、
第２のチャネル上の第２のスロットにより伝達されるメッセージの中にマルチキャストサービス通知を含め、前記第２のスロットは所定の間隔で第１のスロットから偏位される、
請求項４７に記載の方法。
【請求項５１】
所定の間隔で第１のスロットから偏位される前記第２のスロットは、
１００ミリ秒分第１のスロットから偏位される第２のスロットを含む、請求項５０に記載の方法。
【請求項５２】
第１のチャネル上の第１のスロットからインジケータを復号し、そして
マルチキャストサービス通知がインジケータによって示された場合に、第２のチャネル上の第２のスロット内のマルチキャストサービス通知を復号し、前記第２のスロットは第１のスロットに対応する、
通信システムにおける加入者設備のマルチキャストサービス通知のための方法。
【請求項５３】
第１のチャネル上の第１のスロットからインジケータを前記復号することは、
マルチキャストページングサイクルを決定し、そして
マルチキャストページングサイクルおよびマルチキャストグループ識別子に従って第１のスロットを決定することを含む、請求項５２に記載の方法。
【請求項５４】
マルチキャストページングサイクルおよびマルチキャストグループ識別子に従って第１のスロットを前記決定することは、
マルチキャストページングサイクルおよびマルチキャストグループ識別子をハッシング関数に入力し、そして
ハッシング関数により出力される値に第１のスロットを設定することを含む、請求項５３に記載の方法。
【請求項５５】
第２のチャネル上の、第１のスロットに対応する第２のスロットのマルチキャストサービス通知を前記復号することは、
第２のスロットの中のマルチキャストサービス通知を復号することを含み、前記第２のスロットは所定の間隔で第１のスロットから偏位する、請求項５２に記載の方法。
【請求項５６】
所定の間隔で第１のスロットから偏位される前記第２のスロットは、
１００ミリ秒分第１のスロットから偏位される第２のスロットを含む、請求項５５に記載の方法。
【請求項５７】
プロセッサと、そして
第１のチャネル上の第１のスロットの中にインジケータを含めるため、そして、マルチキャストサービス通知がインジケータにより示された場合に第２のチャネル上の第２のスロットにより伝達されるメッセージにマルチキャストサービス通知を含めるために、ここで前記第２のスロットは第１のスロットに対応するものであり、プロセッサに結合されそしてプロセッサにより実行可能な一連の命令を含む記憶媒体と、
を備える通信システムにおけるマルチキャストサービス通知のための装置。
【請求項５８】
前記プロセッサは、
マルチキャストページングサイクルを決定するために、そして
マルチキャストページングサイクルおよびマルチキャストグループ識別子に従って第１のスロットを決定するために、
一連の命令を実行することにより第１のスロットの中にインジケータを含めることを特徴とする請求項５７に記載の装置。
【請求項５９】
前記プロセッサは、
マルチキャストページングサイクルおよびマルチキャストグループ識別子をハッシング関数の中に入力し、
ハッシング関数によって出力される値に第１のスロットを設定するために、
一連の命令を実行することにより、マルチキャストページングサイクルおよびマルチキャストグループ識別子に従って第１のスロットを決定することを特徴とする請求項５８に記載の装置。
【請求項６０】
前記プロセッサは、
第２のチャネル上の第２のスロットにより伝達されるメッセージの中にマルチキャストサービス通知を含め、前記第２のスロットが所定の間隔で第１のスロットから偏位するために、
一連の命令を実行することによって、第２のチャネル上の第２のスロットにより伝達されるメッセージの中にマルチキャストサービス通知を含めることを特徴とする請求項５７に記載の装置。
【請求項６１】
前記第２のスロットは１００ミリ秒分第１のスロットから偏位されていることを特徴とする請求項６０に記載の装置。
【請求項６２】
前記プロセッサおよび前記記憶媒体は基地局内に配置されることを特徴とする請求項５７に記載の装置。
【請求項６３】
第１のチャネル上の第１のスロットからインジケータを復号し、そして
マルチキャストサービス通知がインジケータにより示された場合に、第２のチャネル上の第２のスロット内のマルチキャストサービス通知を復号し、前記第２のスロットが第１のスロットに対応する、
通信システムにおける加入者設備のマルチキャストサービス通知のための装置。
【請求項６４】
前記加入者設備は、
マルチキャストページングサイクルを決定し、そして
マルチキャストページングサイクルおよびマルチキャストグループ識別子に従って第１のスロットを決定するように構成することによって、
第１のチャネル上の第１のスロットからインジケータを復号することを特徴とする請求項６３に記載の装置。
【請求項６５】
前記加入者設備は、
マルチキャストページングサイクルおよびマルチキャストグループ識別子をハッシング関数に入力し、そして
ハッシング関数で出力される値に第１のスロットを設定するように構成することによって、
マルチキャストページングサイクルおよびマルチキャストグループ識別子に従って第１のスロットを決定することを特徴とする請求項６４に記載の装置。
【請求項６６】
前記加入者設備は、第２のチャネル上の第２のスロット内のマルチキャストサービス通知を復号し、
第１のスロットに対応する前記第２のスロットが、第２のスロットの中のマルチキャストサービス通知を復号するように構成され、第２のスロットが所定の間隔で第１のスロットから偏位されることを特徴とする請求項６３に記載の装置。
【請求項６７】
所定の間隔で第１のスロットから偏位される前記第２のスロットは、
１００ミリ秒分第１のスロットから偏位されている第２のスロットを含む請求項６６に記載の装置。
【請求項６８】
マルチキャストグループに属する加入者設備とアクセスネットワークのエンティティの間にリンク層プロトコルを確立し、そして
リンク層プロトコル上でマルチキャストサービス通知を伝達することを含む
通信システムにおけるマルチキャストサービス通知のための方法。
【請求項６９】
リンク層プロトコルを前記確立することは、
マルチキャストグループに属する加入者設備のアイデンティティを決定し、
加入者設備のアイデンティティに従ってチャネルのスロットを決定し、そして
チャネル上のスロットの中にリンク層プロトコル確立要求を含めることを含む、請求項６８に記載の方法。
【請求項７０】
マルチキャストグループに属する加入者設備のアイデンティティを前記決定することは、
通信システムのエンティティから加入者設備のアイデンティティを受信することを含む請求項６９に記載の方法。
【請求項７１】
マルチキャストグループに属する加入者設備のアイデンティティを前記決定することは、
通信システムのエンティティからマルチキャストグループ識別子を受信し、そして
マルチキャストグループ識別子に従って加入者設備のアイデンティティを決定することを含む、請求項６９に記載の方法。
【請求項７２】
マルチキャストグループに属する加入者設備とアクセスネットワークのエンティティの間にリンク層プロトコルを確立し、そして
リンク層プロトコル上でマルチキャストサービス通知を、マルチキャストグループに属する加入者設備で受信することを含む、
通信システムにおけるマルチキャストサービス通知のための方法。
【請求項７３】
リンク層プロトコルを前記確立することは、
加入者設備によってチャネルのスロットを監視し、そして
スロットで伝達されるメッセージがリンク層プロトコル確立要求を備える場合に加入者設備とアクセスネットワークのエンティティの間にリンク層プロトコルを確立することを含む請求項７２に記載の方法。
【請求項７４】
リンク層プロトコルを前記確立することは、
第１のチャネル上の所定のスロットの中にインジケータを含め、そして
マルチキャストサービス通知がインジケータによって示されていた場合に、第２のチャネルのスロットで伝達されるメッセージの中にリンク層プロトコル確立要求を含め、前記スロットは第１のチャネル上の所定のスロットに対応する、請求項６８に記載の方法。
【請求項７５】
所定のスロットの中にインジケータを前記含めることは、
放送ページングサイクルを決定し、そして
各放送ページングサイクルのｎ番目のスロットの中にインジケータを含めることを含む請求項７４に記載の方法。
【請求項７６】
各放送ページングサイクルのｎ番目のスロットの中にインジケータを含めることが、
各放送ページングサイクルの第１のスロットの中にインジケータを含めることを含む請求項７５に記載の方法。
【請求項７７】
第２のチャネル上のスロットの中にリンク層プロトコル確立要求を前記含めることは、
第２のチャネル上のスロットの中にリンク層プロトコル確立要求を含めることを含み、前記スロットは所定の間隔で第１のチャネル上の所定のスロットから偏位される、請求項７４に記載の方法。
【請求項７８】
リンク層プロトコルを前記確立することは、
第１のチャネル上の所定のスロットからインジケータを復号し、そして
マルチキャストサービス通知がインジケータによって示された場合に、第２のチャネル上のスロットの中のリンク層プロトコル確立要求を復号し、前記スロットが第１のチャネル上の所定のスロットに対応する、請求項７２に記載の方法。
【請求項７９】
第１のチャネル上の所定のスロットからインジケータを復号することは、
放送ページングサイクルを決定し、そして
各放送ページングサイクルのｎ番目のスロットの中のインジケータを復号することを含む、請求項７８に記載の方法。
【請求項８０】
各放送ページングサイクルのｎ番目のスロットの中のインジケータを前記復号することは、
各放送ページングサイクルの第１のスロットのインジケータを復号することを含む、請求項７９に記載の方法。
【請求項８１】
第２のチャネル上のスロットの中のリンク層プロトコル確立要求を前記復号することは、
第２のチャネル上のスロットのマルチキャストサービス通知を復号することを含み、前記スロットが所定の間隔で第１のチャネルの所定のスロットから偏位する、請求項７８に記載の方法。
【請求項８２】
リンク層プロトコルを前記確立することは、
第１のチャネル上の第１のスロットにインジケータを含め、そして
マルチキャストサービス通知がインジケータにより示された場合に、第２のチャネルの第２のスロットで伝達されるメッセージの中にリンク層プロトコル確立要求を含め、前記第２のスロットが第１のスロットに対応する請求項６８に記載の方法。
【請求項８３】
第１のスロットの中にインジケータを前記含めることは、
マルチキャストページングサイクルを決定し、そして
マルチキャストページングサイクルおよびマルチキャストグループ識別子に従って第１のスロットを決定することを含む請求項８２に記載の方法。
【請求項８４】
マルチキャストページングサイクルおよびマルチキャストグループ識別子に従って第１のスロットを前記決定することは、
マルチキャストページングサイクルおよびマルチキャストグループ識別子をハッシング関数に入力し、そして
ハッシング関数により出力される値に第１のスロットを設定することを含む請求項８３に記載の方法。
【請求項８５】
第２のチャネル上の第２のスロットで伝達されるメッセージの中にリンク層プロトコル確立要求を前記含めることは、
第２のチャネル上の第２のスロットで伝達されるメッセージの中にリンク層プロトコル確立要求を含め、前記第２のスロットは所定の間隔で第１のスロットから偏位される請求項８２に記載の方法。
【請求項８６】
リンク層プロトコルを前記確立することは、
第１のチャネル上の第１のスロットからインジケータを復号し、そして
マルチキャストサービス通知がインジケータにより示された場合に、第２のチャネル上の第２のスロットの中のリンク層プロトコル確立要求を復号し、前記第２のスロットが第１のスロットに対応する請求項７２に記載の方法。
【請求項８７】
第１のチャネル上の第１のスロットからインジケータを前記復号することは、
マルチキャストページングサイクルを決定し、そして
マルチキャストページングサイクルおよびマルチキャストグループ識別子に従って第１のスロットを決定することを含む請求項８６に記載の方法。
【請求項８８】
第２のチャネル上の第２のスロットの中のリンク層プロトコル確立要求を前記復号し、前記第２のスロットが第１のスロットに対応することは、
第２のスロットの中のマルチキャストサービス通知を復号し、前記第２のスロットが所定の間隔で第１のスロットから偏位される、請求項８６に記載の方法。
【請求項８９】
プロセッサと、
プロセッサに結合され、
マルチキャストグループに属する加入者設備とアクセスネットワークのエンティティの間にリンク層プロトコルを確立し、そして
リンク層プロトコル上でマルチキャストサービス通知を伝達するために、プロセッサによって実行可能な一連の命令を含む記憶媒体と、
を備える通信システムにおけるマルチキャストサービス通知のための装置。
【請求項９０】
前記プロセッサは、
マルチキャストグループに属する加入者設備のアイデンティティを決定し、
チャネルのスロットを決定し、前記スロットは加入者設備のアイデンティティに対応し、そして
チャネル上のスロットにリンク層プロトコル確立要求を含めるために、
一連の命令を実行することによってリンク層プロトコルを確立することを特徴とする請求項８９に記載の装置。
【請求項９１】
前記プロセッサは、
通信システムのエンティティから加入者設備のアイデンティティを受信するために一連の命令を実行することによって、マルチキャストグループに属する加入者設備のアイデンティティを決定することを特徴とする請求項９０に記載の装置。
【請求項９２】
前記プロセッサは、
通信システムのエンティティからマルチキャストグループ識別子を受信し、そして
マルチキャストグループ識別子に従って加入者設備のアイデンティティを決定するために、
一連の命令を実行することによって、マルチキャストグループに属する加入者設備のアイデンティティを決定することを特徴とする請求項９０に記載の装置。
【請求項９３】
マルチキャストグループに属する加入者設備とアクセスネットワークのエンティティの間にリンク層プロトコルを確立し、そして
リンク層プロトコル上でマルチキャストサービス通知を受信するように構成された加入者設備を備える、
通信システムにおけるマルチキャストサービス通知のための装置。
【請求項９４】
前記加入者設備は、
チャネルのスロットを監視し、そして
スロットで伝達されるメッセージがリンク層プロトコル確立要求を備える場合に、加入者設備とアクセスネットワークのエンティティの間でリンク層プロトコルを確立するように構成されることによって、
リンク層プロトコルを確立することを特徴とする請求項９３に記載の装置。
【請求項９５】
前記プロセッサは、
第１のチャネル上の所定のスロットの中にインジケータを含めるため、そして
マルチキャストサービス通知がインジケータにより示された場合に、第２のチャネル上のスロットにより伝達されるメッセージの中にリンク層プロトコル確立要求を含めるため、ここで前記スロットは第１のチャネル上の所定のスロットに対応し、
一連の命令を実行することによってリンク層プロトコルを確立することを特徴とする請求項８９に記載の装置。
【請求項９６】
前記プロセッサは、
放送ページングサイクルを決定し、そして
各放送ページングサイクルのｎ番目のスロットの中にインジケータを含めるために、
一連の命令を実行することにより、所定のスロットの中にインジケータを含めることを特徴とする請求項９５に記載の装置。
【請求項９７】
前記プロセッサは、
各放送ページングサイクルの第１のスロットの中にインジケータを含めるために、一連の命令を実行することにより各放送ページングサイクルのｎ番目のスロットの中にインジケータを含めることを特徴とする請求項９３に記載の装置。
【請求項９８】
前記プロセッサは、
第２のチャネル上のスロットにマルチキャストサービス通知を含めるため、ここで前記スロットは所定の間隔で第１のチャネル上の所定のスロットから偏位されており、一連の命令を実行することにより第２のチャネル上のスロットで伝達されるメッセージの中にリンク層プロトコル確立要求を含めることを特徴とする請求項９５に記載の装置。
【請求項９９】
前記加入者設備は、
第１のチャネル上の所定のスロットからインジケータを復号し、そして
リンク層プロトコル確立要求がインジケータにより示された場合に、第２のチャネル上のスロット中のリンク層プロトコル確立要求を復号するように構成することにより、ここで前記スロットは第１のチャネル上の所定のスロットに対応し、
リンク層プロトコルを確立することを特徴とする請求項９３に記載の装置。
【請求項１００】
前記加入者設備は、
放送ページングサイクルを決定し、そして
各放送ページングサイクルのｎ番目のスロットのインジケータを復号するように構成することにより、第１チャネル上の所定のスロットからインジケータを復号することを特徴とする請求項９９に記載の装置。
【請求項１０１】
前記加入者設備は、
各放送ページングサイクルの第１のスロットのインジケータを復号するように構成することによって各放送ページングサイクルのｎ番目のスロットのインジケータを復号することを特徴とする請求項１００に記載の装置。
【請求項１０２】
前記加入者設備は、
第２のチャネル上のスロットのリンク層プロトコル確立要求を復号し、前記スロットが所定の間隔で第１のチャネル上の所定のスロットから偏位されるように構成することによって、第２のチャネル上のスロットの中のリンク層プロトコル確立要求を復号することを特徴とする請求項９９に記載の装置。
【請求項１０３】
前記プロセッサは、
第１のチャネル上の第１のスロットにインジケータを含め、
リンク層プロトコル確立要求がインジケータによって示された場合に、第２のチャネル上の第２のスロットで伝達されるメッセージの中にリンク層プロトコル確立要求を含め、前記第２のスロットが第１のスロットに対応するために一連の命令を実行することによってリンク層プロトコルを確立することを特徴とする請求項８９に記載の装置。
【請求項１０４】
前記プロセッサは、
マルチキャストページングサイクルを決定し、そして
マルチキャストページングサイクルおよびマルチキャストグループ識別子に従って第１のスロットを決定するために、
一連の命令を実行することによって第１のスロットの中にインジケータを含めることを特徴とする請求項１０３に記載の装置。
【請求項１０５】
前記プロセッサは、
マルチキャストページングサイクルおよびマルチキャストグループ識別子をハッシング関数に入力し、そして
ハッシング関数により出力される値に第１のスロットを設定するために、
一連の命令を実行することによってマルチキャストページングサイクルおよびマルチキャストグループ識別子に従って第１のスロットを決定することを特徴とする請求項１０４に記載の装置。
【請求項１０６】
前記プロセッサは、
第２のチャネル上の第２のスロットで伝達されるメッセージの中にリンク層プロトコル確立要求を含め、前記第２のスロットは所定の間隔で第１のスロットから偏位されており、
一連の命令を実行することによって第２のチャネル上の第２のスロットで伝達されるメッセージの中にリンク層プロトコル確立要求を含めることを特徴とする請求項１０３に記載の装置。
【請求項１０７】
前記第２のスロットは１００ミリ秒分第１のスロットから偏位されることを特徴とする請求項１０６に記載の装置。
【請求項１０８】
前記プロセッサおよび前記記憶媒体は基地局内に配置されることを特徴とする請求項９９に記載の装置。
【請求項１０９】
前記加入者設備は、
第１のチャネル上の第１のスロットからインジケータを復号し、そして
リンク層プロトコル確立要求がインジケータにより示された場合には、第２のチャネル上の第２のスロットの中のリンク層プロトコル確立要求を復号するように構成することにより、ここで前記第２のスロットは第１のスロットに対応しており、
リンク層プロトコルを確立することを特徴とする請求項９３に記載の装置。
【請求項１１０】
前記加入者設備は、
マルチキャストページングサイクルを決定し、そして
マルチキャストページングサイクルおよびマルチキャストグループ識別子に従って第１のスロットを決定するように構成することによって、
第１のチャネル上の第１のスロットからインジケータを復号することを特徴とする請求項１０９に記載の装置。
【請求項１１１】
前記加入者設備は、
マルチキャストページングサイクルおよびマルチキャストグループ識別子をハッシング関数に入力し、そして
ハッシング関数により出力される値に第１のスロットを設定するように構成することによって、
マルチキャストページングサイクルおよびマルチキャストグループ識別子に従って第１のスロットを決定することと特徴とする請求項１１０に記載の装置。
【請求項１１２】
前記加入者設備は、
第２のスロット内のリンク層プロトコル確立要求を復号するように構成することにより、ここで第２のスロットは所定の間隔で第１のスロットから偏位されており、
第２のチャネル上の第２のスロット内のリンク層プロトコル確立要求を復号し、第２のスロットは第１のスロットに対応する、ことを特徴とする請求項１０９に記載の装置。
【請求項１１３】
所定の間隔で第１のスロットから偏位されている前記第２のスロットは、
１００ミリ秒分第１のスロットから偏位される第２のスロットを備える請求項１１２に記載の装置。
【発明の詳細な説明】
【技術分野】
【０００１】
本発明はワイヤライン通信システムまたは無線通信システムにおけるマルチキャスト通信に関する。さらに特定すると、本発明はこのような通信システムにおけるマルチキャストサービス開始のためのシステムおよび方法に関する。
【背景技術】
【０００２】
発信局から物理的に異なる宛て先局への情報信号の伝送を可能にするために通信システムが開発されてきた。通信チャネル上で発信局から情報信号を送信する際、情報信号は最初に通信チャネル上での効率的な伝送に適した形式に変換される。情報信号の変換、つまり変調は、結果として生じる変調済みの搬送波が通信チャネル帯域幅内に限定されるように情報信号に従って搬送波のパラメータを変更することを必要とする。宛て先局では、元の情報信号は通信チャネル上で受信される変調済み搬送波から再構築される。一般的には、このような再構築は、発信局により利用される変調プロセスの逆を使用して達成される。
【０００３】
変調は、共通の通信チャネル上での複数の信号の多元接続、つまり同時送信および／または受信も容易にする。多元接続通信システムは、多くの場合、共通通信チャネルに対する連続アクセスよりむしろ相対的に短い持続期間の断続するアクセスを必要とする複数の遠隔加入者装置を含む。この技術では、時分割多元接続（ＴＤＭＡ）および周波数分割多元接続（ＦＤＭＡ）などの複数の多元接続技法が既知である。別の種類の多元接続技法は、これ以降ＩＳ−９５規格と呼ばれる「ＴＩＡ／ＥＩＡ／ＩＳ−９５二重モード広帯域スペクトル拡散セルラーシステムのための移動局−基地局互換性規格（ＴＩＡ／ＥＩＡ／ＩＳ−９５  Ｍｏｂｉｌｅ  Ｓｔａｔｉｏｎ−Ｂａｓｅ  Ｓｔａｔｉｏｎ  Ｃｏｍｐａｔｉｂｉｉｔｙ  Ｓｔａｎｄａｒｄ  ｆｏｒ  Ｄｕａｌ−Ｍｏｄｅ  Ｗｉｄｅ−Ｂａｎｄ  Ｓｐｒｅａｄ  Ｓｐｅｃｔｒｕｍ  Ｃｅｌｌｕｌａｒ  Ｓｙｓｔｅｍ）」に準拠する符号分割多元接続（ＣＤＭＡ）スペクトル拡散システムである。多元接続通信システムにおけるＣＤＭＡ技法の使用は、ともに本発明の譲受人に譲渡されている「衛星または地上中継器を使用するスペクトル拡散多元接続通信システム（ＳＰＲＥＡＤ  ＳＰＥＣＴＲＵＭ  ＭＵＬＴＩＰＬＥ−ＡＣＣＥＳＳ  ＣＯＭＭＵＮＩＣＡＴＩＯＮ  ＳＹＳＴＥＭ  ＵＳＩＮＧ  ＳＡＴＥＬＬＩＴＥ  ＯＲ  ＴＥＲＲＥＳＴＲＩＡＬ  ＲＥＰＥＡＴＥＲＳ）」と題される米国特許第４，９０１，３０７号明細書、および「ＣＤＭＡセルラー電話システムにおいて波形を生成するためのシステムおよび方法（ＳＹＳＴＥＭ  ＡＮＤ  ＭＥＴＨＯＤ  ＦＯＲ  ＧＥＮＥＲＡＴＩＮＧ  ＷＡＶＥＦＯＲＭＳ  ＩＮ  Ａ  ＣＤＭＡ  ＣＥＬＬＵＬＡＲ  ＴＥＬＥＰＨＯＮＥ  ＳＹＳＴＥＭ）」と題される米国特許第５，１０３，４５９号明細書に開示されている。
【０００４】
多元接続通信システムは無線またはワイヤラインであってよく、音声トラヒックおよび／またはデータトラヒックを搬送してよい。音声トラヒックとデータトラヒックの両方を搬送する通信システムの一例は、通信チャネル上で音声トラヒックおよびデータトラヒックを送信することを指定するＩＳ−９５規格に従ったシステムである。固定サイズのコードチャネルフレームでデータを送信する方法は、本発明の譲受人に譲渡されている「伝送のためのデータのフォーマットのための方法および装置（ＭＥＴＨＯＤ  ＡＮＤ  ＡＰＰＡＲＡＴＵＳ  ＦＯＲ  ＴＨＥ  ＦＯＲＭＡＴＴＩＮＧ  ＯＦ  ＤＡＴＡ  ＦＯＲ  ＴＲＡＮＳＭＩＳＳＩＯＮ）」と題される米国特許第５，５０４，７７３号明細書に詳細に説明される。ＩＳ−９５規格に従って、データトラヒックまたは音声トラヒックは１４．４Ｋｂｐｓもの高いデータレートで２０ミリ秒幅であるコードチャネルフレームに区切られる。音声トラヒックとデータトラヒックの両方を搬送する通信システムの追加の例は、文書番号第３Ｇ  ＴＳ  ２５．２１１号、第３Ｇ  ＴＳ  ２５．２１２号、第３Ｇ  ＴＳ  ２５.２１３号、および第３Ｇ  ＴＳ  ２５．２１４号（Ｗ−ＣＤＭＡ規格）または「ｃｄｍａ２０００スペクトル拡散システム用ＴＲ−４５．５物理層規格」（ＩＳ−２０００規格）を含む文書の集合で実現される「第３世代移動体通信規格化プロジェクト（３ｒｄ  Ｇｅｎｅｒａｔｉｏｎ  Ｐａｒｔｎｅｒｓｈｉｐ  Ｐｒｏｊｅｃｔ）」（３ＧＰＰ）に準拠する通信システムを備える。
【０００５】
多元接続無線通信システムにおいては、ユーザ間の通信は１つまたは複数の基地局を通して実施される。用語ユーザは、生命のあるもの（animate）と生命のないもの（inanimate）の両方を指す。１つの無線加入者設備上の第１のユーザは、逆方向リンク上で情報信号を基地局に伝達することにより第２の無線加入者設備上の第２のユーザに通信する。基地局は情報信号を受信し、第２の加入者設備に順方向リンク上で情報信号を伝達する。第２の加入者設備が基地局によるサービスエリア内にない場合には、基地局はこの第２の加入者設備がサービスエリア内に入る別の基地局にデータを送る。次に第２の基地局は順方向リンク上で情報信号を第２の加入者設備に伝達する。順方向リンクは基地局から無線加入者設備への伝送を指し、逆方向リンクは無線加入者設備から基地局への伝送を指す。同様に、通信は無線加入者設備上の第１のユーザと大陸通信設備上の第２のユーザの間で実施できる。基地局は逆方向リンクで無線加入者設備上の第１のユーザからデータを受信し、大陸通信設備上の第２のユーザに公衆電話交換網（ＰＳＴＮ）を通してデータを送る。ＩＳ−９５、Ｗ−ＣＤＭＡ、ＩＳ−２０００などの多くの通信システムでは、順方向リンクと逆方向リンクは別々の周波数が割り当てられる。
【０００６】
前述された無線通信システムは、第１のユーザからの情報は第２のユーザ専用であるポイントツーポイントサービスの例である。対照的に、マルチキャストサービスは、ソース、ユーザまたはコンテンツサーバにより提供される情報がすべてのユーザの部分集合向けであるサービスである。マルチキャストシステムのモデルは、ユーザのグループメンバーシップにより定義されるユーザの選択されたグループを備える。グループメンバーシップは、特定のマルチキャストコンテンツに加入した加入者設備のユーザを備える。簡潔のために、用語「メンバー加入者設備」は、特に明記しない限り「加入者設備上のユーザ」を意味するために使用される。
【０００７】
１つのこのようなモデルでは、メンバー加入者設備は、アクセスネットワークを介して１つまたは複数のコンテンツサーバによってニュース、映画、スポーツイベント等の特定のコンテンツを持つ情報を提供される。用語アクセスネットワークは、ここでは基地局と１つまたは複数の基地局のコントローラの集合を意味するために使用される。各メンバー加入者設備は、情報が伝達される順方向リンクチャネルを監視する。順方向リンクチャネルはメンバー加入者設備の間で共用されてよいか、あるいは各メンバー加入者設備と、例えばメンバー加入者設備にサービスを提供する基地局などのアクセスネットワークの局の間で確立されてよい。コンテンツサーバはコンテンツを固定的に決定するため、メンバー加入者設備は一般的にはアクセスネットワークに通信し返さない。
【０００８】
代わりに、情報源は、選択されたグループのメンバーであるユーザ、つまり選択されたグループの残りのメンバー向けの情報を提供するユーザである。ユーザが情報の提供を希望する場合、ユーザは例えばプッシュツートーク（ＰＴＴ）ボタンを押すことによって通信システムに通知する。通常、ユーザにより提供される情報は加入者設備から専用逆方向リンク上で基地局に送られる。次に、基地局はマルチキャスト順方向リンクでユーザにより提供された情報を伝達する。ポイントツーポイント通信システムの場合のように、マルチキャスト通信システムは、大陸通信加入者設備と無線加入者設備の両方がシステムにアクセスできるようにする。前述されたサービスはグループサービスとも呼ばれる。グループサービス通信システムの例は、地元警察無線システム、タクシー発送システム、連邦捜査局およびシークレットサービスの活動、および一般軍事通信システムを含む。
【０００９】
前述したマルチキャストサービス通信システムは、一般的にきわめて特殊化された目的構築（ｐｕｒｐｏｓｅ−ｂｕｉｌｄ）通信システムである。無線セルラー電話システムの最新の進展を受けてマルチキャストサービスのために（おもにポイントツーポイント）セルラー電話システムの既存のインフラストラクチャを活用することに対する関心があった。（ここで使用されるように、用語「セルラー」システムはセルラー周波数とＰＣＳ周波数の両方を包含している。）
【発明の開示】
【発明が解決しようとする課題】
【００１０】
セルラー電話システムにマルチキャストシステムを導入するには、現在のセルラー電話システムにより提供されるポイントツーポイントサービスとマルチキャストサービスを統合することが必要になる。特に、アクセスネットワークと加入者設備の両方とも、マルチキャストモードとポイントツーポイント通信モードの両方を可能にする機能をサポートできる必要がある。ポイントツーポイントセルラー電話システムはマルチキャストサービスをサポートしないため、この技術ではマルチキャストサービス手順、特にマルチキャストサービス開始のための方法およびシステムに対するニーズがある。
【課題を解決するための手段】
【００１１】
ここに開示されている実施形態は、マルチキャストグループ識別子を決定し、第１のチャネル上で少なくとも１つの周期的に繰り返されるメッセージの中にマルチキャストグループ識別子を含める（include）ことにより前述されたニーズに対処する。加入者設備はチャネル上で周期的に繰り返されるメッセージを監視し、マルチキャストサービス通知が周期的に繰り返されたメッセージの中に含まれていたかどうかを判断するために周期的に繰り返されるメッセージを復号する。
【００１２】
別の実施形態では、前述されたニーズはマルチキャストグループに属する加入者設備の識別を決定する、加入者設備のアイデンティティに従ってチャネルのスロットを決定する、およびチャネル上のスロットでマルチキャストサービス通知を送信することによって対処される。加入者設備は、チャネルのスロットを監視し、マルチキャストサービス通知がメッセージに含まれていたかどうかを判断するためにスロット内で伝送されるメッセージを復号する。
【００１３】
別の実施形態では、前述されたニーズは、第１のチャネル上の所定のスロットの中にインジケータを含み、マルチキャストサービス通知を第２のチャネル上のスロットで伝達されるメッセージに含めることによって対処され、該スロットは、マルチキャストサービス通知がインジケータによって示された場合に、第１のチャネル上の所定のスロットに一致する。加入者設備は、第１のチャネル上の所定のスロットからインジケータを復号し、第２のチャネル上のスロット内のマルチキャストサービス通知を復号し、スロットは、マルチキャストサービス通知がインジケータによって示された場合に、第１のチャネル上の所定のスロットに一致する。
【００１４】
別の実施形態では、前述されたニーズは第１のチャネル上で第１のスロットの中にインジケータを含み、第２のチャネル上の第２のスロット内で伝達されるメッセージの中にマルチキャストサービス通知を含めることによって対処され、第２のスロットはマルチキャストサービス通知がインジケータによって示されていた場合に、第１のスロットに一致する。加入者設備は第１のチャネル上の第１のスロットからのインジケータを復号し、第２のチャネル上の第２のスロット内のマルチキャストサービス通知を復号し、第２のスロットは、マルチキャストサービス通知がインジケータによって示された場合に第１のスロットに一致する。
【００１５】
別の実施形態では、前述されたニーズはマルチキャストグループに属する加入者設備とマルチキャストサービスの提供元の間でリンク層プロトコルを確立し、リンク層プロトコル上でマルチキャストサービス通知を伝達することによって対処される。加入者設備は、リンク層プロトコルを確立することに関与し、リンク層プロトコル上でマルチキャストサービス通知を受信する。
【発明を実施するための最良の形態】
【００１６】
（定義）
単語「例示的な」は、「例、インスタンス、または実例としての機能を果たす」ことを意味するためにここで使用される。ここに「例示的」として説明される実施形態は、必ずしも好適または他の実施形態より有利と解釈されるべきではない。
【００１７】
用語ポイントツーポイント通信は、専用通信チャネル上での２つの加入者設備の間の通信を意味するためにここに使用される。
【００１８】
用語グループサービス、ポイントツーマルチポイント通信、プッシュツートーク、または発送サービスは、複数の加入者設備が、通常１つの加入者設備から通信を受信している通信を意味するためにここに使用される。
【００１９】
用語アクセスネットワークは、基地局（ＢＳ）と１つまたは複数の基地局のコントローラの集合を意味するためにここに使用される。アクセスネットワークは複数の加入者設備間でデータパケットをトランスポートする。アクセスネットワークは、企業のイントラネットまたはインターネットなどのアクセスネットワークの外部の追加ネットワークにさらに接続されてよく、各アクセス端末とこのような外部ネットワーク間でデータパケットをトランスポートしてよい。
【００２０】
用語基地局は、加入者設備が通信するハードウェアを意味するためにここに使用される。セルは、用語が使用される文脈に応じて、ハードウェアまたは地理上のカバレージエリアを指す。セクタはセルのパーティションである。セクタはセルの属性を有するため、セルに関して説明される教示は容易にセクタに拡張される。
【００２１】
用語加入者設備は、アクセスネットワークが通信するハードウェアを意味するためにここに使用されている。加入者設備は移動または静止しているものであってよい。加入者設備は、例えば光ケーブルまたは同軸ケーブルを使用して無線チャネルを通して、あるいは有線チャネルを通して通信する任意のデータ機器であってよい。加入者設備は、ＰＣカード、コンパクトフラッシュ、外部モデムまたは内臓モデム、または無線電話あるいはワイヤライン電話を含む数多くの種類の機器のどれかであってよいが、これらに限定されない。基地局とアクティブトラヒックチャネル接続を確立する過程にある加入者設備は、接続セットアップ状態にあると言われる。基地局とのアクティブトラヒックチャネル接続を確立した加入者設備はアクティブ加入者設備と呼ばれ、トラヒック状態にあると言われている。
【００２２】
用語物理チャネルは、変調特性およびコード化に関して説明される、信号が伝搬する通信ルートを意味するためにここに使用されている。
【００２３】
用語論理チャネルは、基地局または加入者設備のどちらかのプロトコル層内の通信ルートを意味するためにここに使用されている。
【００２４】
用語通信チャネル／リンクは、コンテキストに従って物理チャネルまたは論理チャネルを意味するためにここで使用されている。
【００２５】
用語リバースチャネル／リンクは、加入者設備が基地局に信号を送信する通信チャネル／リンクを意味するためにここで使用されている。
【００２６】
順方向チャネル／リンクは、基地局が加入者設備に信号を送信する通信チャネル／リンクを意味するためにここで使用されている。
【００２７】
（詳細な説明）
説明されたように、マルチキャストシステムのモデルはユーザのグループメンバーシップにより定義されるユーザの選択されたグループを備える。グループメンバーシップは、特定のマルチキャストコンテンツに加入する加入者設備のユーザを備える。１台または複数台のコンテンツサーバまたは別のユーザはマルチキャストコンテンツを提供する。図１は、本発明の実施形態に従って（マルチキャストコールとも呼ばれる）マルチキャストサービスを提供することができる通信システム１００の概念図を描く。
【００２８】
説明されたように、マルチキャストコンテンツはコンテンツサーバ（ＣＳ）から出てよい。該コンテンツサーバは、ネットワークＣＳ１  １０２（１）の中、あるいはインターネット（ＩＰ）１０４、ＣＳ２  １０２（２）の外部に位置してよい。コンテンツはマルチキャストパケットデータ供給ノード（ＭＰＤＳＮ）１０６にパケットの形式で送達されてよい。用語ＭＰＳＤＮは、ＭＰＤＳＮが物理的に同一場所に配置される、あるいは通常のＰＤＳＮ（図示せず）と同一の機能性を提供してよいが、ＭＰＳＤＮが論理的には通常のＰＤＳＮと異なってよいために使用される。パケットの宛て先に従って、ＭＰＤＳＮ１０６は、パケット制御機能（ＰＣＦ）１０８にパケットを送達する。ＰＣＦは、基地局コントローラが通常の音声トラヒックサービスおよびデータトラヒックサービス用であるようにマルチキャストパケットデータサービスを含む任意のパケットデータサービスのために、基地局１１０の機能を制御する制御エンティティである。物理アクセスネットワークとのマルチキャストパケットデータサービスの高レベルの概念の接続を図解するために、図１はＰＣＦが物理的に同一場所に配置されているが、基地局コントローラ（ＢＳＣ）とは論理的には別であることを示している。当業者は、これが教育上の目的だけであることを理解している。ＢＳＣ１０８は基地局１１０にパケットを提供する。用語基地局が使用されているが、当業者は実施形態が等しくセクタに適用可能であることを認識している。
【００２９】
同様に、コンテンツがＣＳ１０２（１）で発生する場合、コンテンツは公衆電話交換網（ＰＳＴＮ）１１２に送達されてよい。コンテンツの宛て先に従って、ＰＳＴＮ１１２は基地局コントローラＢＳＣ１０８にコンテンツを送達する。ＢＳＣ１０８は基地局１１０にコンテンツを提供する。
【００３０】
さらに別の実施形態においては、ＣＳ  １０２（１）で発生するコンテンツはＰＳＴＮ１１２に対して相互作用機能１２０を介してパケットの形式で送達されてよい。コンテンツの宛て先に従って、ＰＳＴＮ１１２は、基地局コントローラＢＳＣ１０８にコンテンツを送達する。ＢＳＣ１０８は基地局１１０にコンテンツを提供する。
【００３１】
基地局１１０は、順方向チャネル１１４上でメンバー加入者設備にコンテンツを提供する。説明されたように、順方向チャネルはメンバー加入者設備の間で共用されてよいか、あるいは各メンバー加入者設備と基地局の間で確立されよく、メンバー加入者設備に供給する。共用される順方向チャネルの使用は、２００２年３月２８日に出願された「通信システムで提供されるポイントツーマルチポイントサービスのための方法および装置（ＭＥＴＨＯＤ  ＡＮＤ  ＡＰＰＡＲＡＴＵＳ  ＦＯＲ  ＰＯＩＮＴ−ＴＯ−ＭＵＬＴＩＰＯＩＮＴ  ＳＥＲＶＩＣＥＳ  ＰＲＯＶＩＤＥＤ  ＩＮ  ＣＯＭＭＵＮＩＣＡＴＩＯＮ  ＳＹＳＴＥＭＳ）」と題される同時係属米国特許出願、出願番号第１０／１１３，２５７号明細書に開示されている。情報の放送のために共通チャネルおよび専用チャネルを使用することは、２００２年３月２８日に出願され、本発明の譲受人に譲渡された「通信システムにおけるポイントツーマルチポイントサービス用のチャネル管理のための方法および装置（ＭＥＴＨＯＤ  ＡＮＤ  ＡＰＰＡＲＡＴＵＳ  ＦＯＲ  ＣＨＡＮＮＥＬ  ＭＡＮＡＧＥＭＥＮＴ  ＦＯＲ  ＰＯＩＮＴＯ−ＴＯ−ＭＵＬＴＩＰＯＩＮＴ  ＳＥＲＶＩＣＥＳ  ＩＮ  Ａ  ＣＯＭＭＵＮＩＣＡＴＩＯＮ  ＳＹＳＴＥＭ）」と題されている同時係属米国特許出願、出願番号第１０／１１３，０９８号明細書に開示されている。しかしながら、当業者は、復唱された出願が個別指導の目的のためだけであり、他の通信システムが類似した機能を実行するチャネルを活用し、したがって教示が他の通信システムに適用可能であることを理解する。
【００３２】
代わりに、例えばメンバー加入者設備１１６（１）などのメンバー加入者設備は、アクセスネットワークを経由して、マルチキャストコンテンツをメンバー加入者設備１１６（２）などの他のメンバー加入者設備に通信する。メンバー加入者設備１１６（１）は、アクセスネットワークによって加入者設備１１６（１）に割り当てられている逆方向リンクチャネル１１８上でグループにマルチキャストコンテンツを通信する。逆方向リンクチャネル割り当てはこの技術で周知である。例えば、前述した出願、出願番号第１０／１１３，２５７号明細書、および第１０／１１３，０９８号明細書を参照すること。基地局１１０（１）は、受信した情報を基地局１１０（２）に送り、それから基地局１１０（２）は順方向チャネル１１４（２）上で送られる情報をメンバー加入者設備１１６（２）に送信する。
【００３３】
マルチキャストサービスが提供されるとき、マルチキャストコール開始を可能にする手順に従わなければならない。このような手順は複数の段階に分けられてよい。第１の段階の間、マルチキャストサービスが提供されるメンバー加入者設備が通知されなければならない。次の（任意の）段階では、関心のあるメンバー加入者設備が通知に応える。次の段階の間に、コンテンツが伝えられるチャネルが選択され、割り当てられる。
【００３４】
（マルチキャストコール開始の通知）
前述されたように、マルチキャストコールが開始されるとき、マルチキャストグループのメンバーである加入者設備は通知を受けなければならない。
【００３５】
ある実施形態では、アクセスネットワークは、例えばオーバヘッドメッセージなどの周期的に送信されるメッセージを介して加入者設備に通知情報を放送することによりマルチキャストコールを開始する。用語オーバヘッドメッセージは、ここで各セクターによって周期的に送信されるシステムパラメータに関するメッセージを意味するために使用される。マルチキャストコール通知を含むオーバヘッドメッセージは、別の呼に関与していないすべての加入者設備により監視される順方向チャネル上で、カバレージエリアがメンバー加入者設備を含むセクタにより送信される。ＩＳ−２０００規格による通信システム内のこのような装置の例は順方向ページングチャネル（Ｆ−ＰＣＨ）または順方向放送制御チャネル（Ｆ−ＢＣＣＨ）で送信されるオーバヘッドメッセージである。
【００３６】
マルチキャストコールは、マルチキャストコールがそのメンバー加入者設備を対象にするマルチキャストグループの識別子（ＧＲＯＵＰ＿ＩＤ）をオーバヘッドメッセージの中に含むことにより広告される。複数のマルチキャストコールが開始されると、オーバヘッドメッセージは、マルチキャストコールが対象となるすべてのマルチキャストグループの識別子を含む。識別子は１つのオーバヘッドメッセージ、複数のオーバヘッドメッセージで送信されてよいか、あるいはマルチキャストコールの持続期間の間すべてのオーバヘッドメッセージ内に含まれてよい。最後のオプションにより、加入者設備はすでに未決のマルチキャストコールに加わることができる。識別子がマルチキャストコールの持続期間中オーバヘッドメッセージに含まれる場合、特定のマルチキャストグループに対するマルチキャストコールの終了時、特定のマルチキャストグループ識別子がメッセージから削除される。識別子に加えて、オーバヘッドメッセージは、例えばトラヒックチャネル割り当ての種類、使用されているベアラトランスポートの種類、および当業者に既知の他の関連情報などの広告されたマルチキャストコールに関連する追加の情報を提供してよい。言うまでもなく、オーバヘッドメッセージの残りの部分は前述されたようにシステム関連情報を備える。
【００３７】
前述された実施形態に従ったメッセージフローの例は図２に描かれている。瞬間ｔ１で、セクタＳは、識別子ＧＲＯＵＰ＿ＩＤｘが付いたグループに向けたマルチキャストコールが開始するという表示ＧＲＯＵＰ＿ＩＤｘを受け取る。表示は通信システムの別のエンティティ、例えば基地局コントローラ、ＰＳＴＮ、情報源（図示せず）、他のエンティティにより提供されてよい。代わりに、セクタＳは加入者設備ＭＳ＿１とＭＳ＿２の識別子を受信する。次に、セクタＳは、例えばデータベースに照会することにより、加入者設備ＭＳ＿１とＭＳ＿２を備えるマルチキャストグループの識別子ＧＲＯＵＰ＿ＩＤｘを決定する。前述されたように、情報源は、例えば、サーバ、別の加入者設備、あるいは当業者に既知である任意の他のソースを備えてよい。セクタＳは、ある実施形態では放送システムパラメータメッセージＢＳＰＭ（ＧＲＯＵＰ＿ＩＤｘ）を備え、時間ｔ２でＢＳＰＭ（ＧＲＯＵＰ＿ＩＤｘ）を放送するオーバヘッドメッセージに識別子を含める。識別子付きのグループのメンバーである加入者設備ＭＳ＿１およびＭＳ＿２はＢＳＰＭ（ＧＲＯＵＰ＿ＩＤｘ）を受け取り、識別されたマルチキャストコールが送信されている物理チャネルの監視を開始する、アクセスネットワークに応答を送信する、ユーザに通知するなどの適切な処置、および特殊通信システムの設計に従った他の処置を講じる。図２は、識別子がマルチキャストコールの持続期間の間にオーバヘッドメッセージに含まれる実施形態を示す。オーバヘッドメッセージＢＳＰＭが周期的に繰り返すと、識別子は、同様にオーバヘッドメッセージＢＳＰＭの次のインスタンス（複数の場合がある）で送信される。時間ｔ３の１つのインスタンスだけが示されている。
【００３８】
瞬間ｔ４では、セクタＳが識別子ＧＲＯＵＰ＿ＩＤｙ付きのグループ向けのマルチキャストを開始するという表示ＧＲＯＵＰ＿ＩＤｙを情報源（図示せず）から受信する。セクタＳは、例えばＢＳＰＭなどのオーバヘッドメッセージの中に識別子を含める。２つのグループがマルチキャストコールについて通知されているため、瞬間ｔ５で送信される放送されたオーバヘッドメッセージは、両方の識別子ＢＳＰＭ（ＧＲＯＵＰ＿ＩＤｘ、ＧＲＯＵＰ＿ＩＤｙ）を含む。識別子ＧＲＯＵＰ＿ＩＤｙ付きのグループのメンバーである加入者設備ＭＳ＿３はオーバヘッドメッセージＢＳＰＭ（ＧＲＯＵＰ＿ＩＤｘ、ＧＲＯＵＰ＿ＩＤｙ）を受信し、前述されたような適切な処置を講じる。
【００３９】
瞬間ｔ６では、セクタＳが、識別子ＧＲＯＵＰ＿ＩＤｘ付きのグループ向けのマルチキャストコールが終了するという表示ＧＲＯＵＰ＿ＩＤｘ  ｅｎｄｓを情報源（図示せず）から受信する。セクタＳは、ＢＳＰＭなどのオーバヘッドメッセージから識別子を削除し、瞬間ｔ７に識別子ＧＲＯＵＰ＿ＩＤｙ、ＢＳＰＭ（ＧＲＯＵＰ＿ＩＤｙ）だけを含むオーバヘッドメッセージを放送する。識別子ＧＲＯＵＰ＿ＩＤｘ付きのグループのメンバーである加入者設備ＭＳ＿１とＭＳ＿２は、オーバヘッドメッセージＢＳＰＭ（ＧＲＯＵＰ＿ＩＤｙ）を受信し、識別子ＧＲＯＵＰ＿ＩＤｙに対応するマルチキャストコールが送信されている物理チャネルの監視を終了するなどの適切な処置を講じる。マルチキャストコールＢＳＰＭ（ＧＲＯＵＰ＿ＩＤｙ）は影響を受けず、終了するまで続行する。終了時、識別子ＧＲＯＵＰ＿ＩＤｙはＢＳＰＭから削除される。
【００４０】
放送メッセージが周期的に繰り返されるため、加入者設備は、呼の開始後いつでも呼に加わることができる。放送メッセージがページングチャネル容量に影響を及ぼすのを防止するために、放送メッセージ長を制限するのが望ましい。その結果、放送メッセージに含まれてよいグループは制限される。さらに、放送メッセージは呼の開始と終了ごとに変化するため、加入者設備は放送メッセージのあらゆる更新を監視しなければならない。別の実施形態においては、マルチキャストグループのメンバーである各加入者設備は、加入者設備にアドレス指定される個々のメッセージによってマルチキャストコールの開始について通知される。ある実施形態では、個々のメッセージは個々のマルチキャストページ（ＭＣＰ）を備える。個々のＭＣＰは、ＩＳ−２０００規格に従って通信システムの関連で説明される。図３に概念的に描かれているように、ページメッセージ３００は、それぞれが異なる加入者設備または加入者設備のグループ宛てである多くのページ３０２を搬送してよい。ページメッセージ３００は、ＧＰＭまたはＵＰＭのどちらかがさまざまなページレコードタイプを搬送できるため、例えば一般ページメッセージ（ＧＰＭ）や汎用ページメッセージ（ＵＰＭ）を備えてよい。ページメッセージは、Ｆ−ＰＣＨまたは順方向共通制御チャネル（Ｆ−ＣＣＣＨ）上で伝達される。ページメッセージで搬送される個々のページ３０２は、ページレコードタイプと呼ばれ、それぞれのページレコードタイプは、宛て先とされる加入者設備（複数の場合がある）３０６のアドレス、ページのタイプ３０８（つまり個別または放送）、コンテンツ３１０（つまり、呼のサービスオプション）、およびシーケンス番号３０４などの他の情報を備える。アドレス指定は、例えば加入者設備を個別にアドレス指定するための一時移動局識別子（ＴＭＳＩ）、国際移動局識別子（ＩＭＳＩ）などのページアドレスタイプ（ＡＤＤＲ＿ＴＹＰＥ）、あるいはすべての加入者設備をアドレス指定するためのアドレスタイプで指定される。ページメッセージ３００を受信すると、加入者設備はアドレス３０６を復号し、ページ３０２が加入者設備向けであるかどうかを判断する。アドレス３０６が、ページ３０２が加入者設備向けであることを示す場合には、加入者設備は呼の種別を決定するためにタイプ３０８を、および呼の詳細を決定するためにコンテンツ３１０を復号する。ポイントツーポイント通信システムの呼の各種別、つまり音声呼、データ呼、ＳＯ３３呼は対応するページレコードを有する。説明されたように、マルチキャストコールは呼の新しい種別であるため、個々のＭＣＰは新規ページレコードタイプとして定義されなければならない。
【００４１】
マルチキャストコールは、マルチキャストグループ（ＧＲＯＵＰ＿ＩＤ）の識別子を個々のＭＣＰに含むことにより広告される。個々のＭＣＰはページメッセージに含まれ、Ｆ−ＰＣＨまたはＦ−ＣＣＣＨなどの順方向チャネル上で、メンバー加入者設備の特定のアドレスを使用してメンバー加入者設備に送信される。さらに、ＭＣＰはトラヒックチャネル割り当てのタイプ、使用されるベアラトランスポートのタイプ、および当業者に既知の他の関連情報などの広告される呼に関連する追加情報を提供してよい。
【００４２】
前述された実施形態のメッセージフローの一例は図４に描かれている。瞬間ｔ１で、セクタＳが、識別子ＧＲＯＵＰ＿ＩＤｘ付きのグループ向けのマルチキャストコールを開始するという表示ＧＲＯＵＰ＿ＩＤｘを受信する。表示は、例えば基地局コントローラ、ＰＳＴＮ、情報源（図示せず）、および他のエンティティなどの通信システムの別のエンティティにより提供されてよい。セクタＳは、次に、例えばデータベースに照会することによって加入者設備ＭＳ＿１とＭＳ＿２のアイデンティティを決定する。代わりに、セクタＳは加入者設備ＭＳ＿１とＭＳ＿２のアイデンティティを受信する。それから、セクタＳは加入者設備ＭＳ＿１とＭＳ＿２のための識別子ＧＲＯＵＰ＿ＩＤｘを含む個別ＭＣＰを作成する。
【００４３】
当業者は、このようなモードが当業者に既知の文書に説明されているため、ページングチャネルがスロットページングモードまたは非スロットページングモードで動作してよいことを理解する。一例として、このようなモードは、ＩＳ−９５規格、本発明の譲受人に譲渡されている１９９５年２月２１日に発行された「移動通信受信機における電力消費を削減するための方法および装置（ＭＥＴＨＯＤ  ＡＮＤ  ＡＰＰＲＡＴＵＳ  ＦＯＲ  ＲＥＤＵＣＩＮＧ  ＰＯＷＥＲ  ＣＯＮＳＵＭＰＴＩＯＮ  ＩＮ  Ａ  ＭＯＢＩＬＥ  ＣＯＭＭＵＮＩＣＡＴＩＯＮ  ＲＥＣＥＩＶＥＲ）」と題される米国特許第５，３９２，２８７号明細書に説明されている。個別指導のために、図４は、加入者設備がスロットモードでＦ−ＰＣＨまたはＦ−ＣＣＣＨを監視する構成通信システムを描いている。しかし、当業者が理解するように、非スロットモードを使用してもよい。当業者が理解するように、用語スロットは、時間、チップ数または他の適切な単位で表される長さの物理チャネルのパーティションを指す。
【００４４】
セクタＳは、加入者設備ＭＳ＿１に割り当てられるページングスロットを時間ｔ２まで待機してから、図示されているようにＧＰＭなどのページメッセージの一部としてＭＳ＿１のために個々のＭＣＰを伝達する。加入者設備ＭＳ＿１は、次に、識別子ＧＲＯＵＰ＿ＩＤｘに対応するマルチキャストコールが送信されている物理チャネルの監視を開始する、応答を送信する、ユーザに通知するなどの適切な処置、および特殊な通信システムの設計に従った他の処置を講じてよい。次にセクタＳは、加入者設備ＭＳ＿２に割り当てられるページングスロットを時間ｔ３まで待機してから、図示されるようにＧＰＭなどのページメッセージの一部としてＭＳ＿２のためにＭＣＰを伝達する。加入者設備ＭＳ＿２は、それから前述されたように適切な処置を講じてよい。別の実施形態においては、それぞれの加入者設備がグループに属する加入者設備にアドレス指定される共通メッセージによってマルチキャストコールの開始について通知を受ける。ある実施形態では、共通メッセージは共通マルチキャストページ（ＭＣＰ）を備える。前記に説明されるように、共通ＭＣＰはすべてではなくても複数の加入者設備向けであるため、およびマルチキャストコールは新しい種別の呼であるため、共通ＭＣＰは新しいページレコードタイプとして定義されなければならない。図３のページメッセージ３００の構造を参照すると、新しいページレコードタイプ３０２は、タイプ３０８、コンテンツ３１０、およびシーケンス番号３０４などの他の情報だけではなく、新しいページアドレス、ページレコードタイプ３０２が複数の加入者設備向けであることを指定する、マルチキャストアドレス（ＭＣ＿ＡＤＤＲＥＳＳ）３０４も備える。
【００４５】
新しいマルチキャストコールの開始は、ＧＲＯＵＰ＿ＩＤによって識別されるマルチキャストグループに属するメンバー加入者設備のためのＭＣＰの中にマルチキャストグループＧＲＯＵＰ＿ＩＤの識別子を含むことにより広告される。共通ＭＣＰはページメッセージに含まれ、ＭＣ＿ＡＤＤＲＥＳＳを使用して、共通ＭＣＰの対象となる加入者設備に、例えばＦ−ＰＣＨまたはＦ−ＣＣＣＨなどの順方向チャネル上で送信される。さらに、ＭＣＰは、例えばトラヒックチャネル割り当てのタイプ、使用されているベアラトランスポートのタイプなどの広告された呼に関連する追加情報、および当業者に既知である他の関連情報を提供してよい。しかしながら、前述されたように、現在の通信システムにおいては、加入者設備は加入者設備のためのページが送信されるページングチャネルスロットを監視するために割り当てられている。しかしながら、ＧＲＯＵＰ＿ＩＤによって識別されるグループに属する加入者設備は、ページングチャネル上で必ずしも同じスロットを割り当てられない。さらに、例えば基地局コントローラ（ＢＳＣ）などのページングを担当するエンティティは、どの加入者設備が特定のマルチキャストグループのメンバーであるのかを知らなくてもよく、その結果ＢＳＣは個々の加入者設備とＭＣ＿ＡＤＤＲＥＳＳの間のマッピングを実行できない。ＭＣＰはマルチキャストＩＰアドレス上でＩＰパケットを受信するためにトリガされるため、このようなシナリオは、例えばマルチキャストサービスがインターネットプロトコル（ＩＰ）上で提供されるときに発生する。したがって、マルチキャスト開始情報を送達するための効率的な方法を使用可能にする方法が必要とされている。その結果、ある実施形態に従って、共通ＭＣＰは放送ページングサイクル（ＢＰＣ）の第１のスロットで送信される。ＢＣＰの概念はＩＳ−２０００規格に従って通信システムで実現されるようにページングチャネルに関して説明される。図５に描かれているように、Ｆ−ＰＣＨとＦ−ＣＣＣＨはスロットに分割される。周期的な放送ページングを使用可能にするために、放送ページングサイクルは、以下に示されるように（Ｆ−ＰＣＨ／Ｆ−ＣＣＣＨスロット数の）持続期間に関して定義される。
【００４６】
ＢＰＣ＝Ｂ＋Ｘ                                                          （１）
ここでＢは以下のとおりに指定され、
Ｂ＝２ｉ×１６                                                          （２）
ここで、Ｆ−ＰＣＨに対しては
１≦ｉ≦７
であり、Ｆ−ＣＣＣＨに対しては
２≦ｉ≦８
である。
【００４７】
Ｘは固定オフセットである。例えば、ＩＳ−２０００規格に従った通信システムでは、値はＦ−ＰＣＨで３、Ｆ−ＣＣＣＨで７である。
【００４８】
放送指数ｉ（ＢＣＡＳＴ＿ＩＮＤＥＸ）の値は、Ｆ−ＰＣＨの場合拡張システムパラメータメッセージ（ＥＳＰＭ）、およびＦ−ＣＣＣＨの場合マルチキャリヤ無線リソースパラメータメッセージ（ＭＣＲＲ）内のセクタにより送信される。
【００４９】
スロットモードの加入者設備はスロットを監視し、以下の式に従って決定される。
【００５０】
Ｂ＝２ｊ×１６                                                          （３）
ここで、Ｆ−ＰＣＨに対しては
１≦ｊ≦７
であり、Ｆ−ＣＣＣＨに対しては
２≦ｊ≦８
である。
【００５１】
ここでスロット指数ｊ（ＢＣＡＳＴ＿ＩＮＤＥＸ）の値は、Ｆ−ＰＣＨの場合拡張システムパラメータメッセージ（ＥＳＰＭ）、およびＦ−ＣＣＣＨの場合マルチキャリヤ無線リソースパラメータメッセージ（ＭＣＲＲ）内のセクタにより送信される。
【００５２】
結果として、放送指数ｉおよびスロット指数ｊの任意の組み合わせについて、式（２）に従って加入者設備が放送について監視する放送スロットと、式（３）に従ってスロットモードで個別にアドレス指定されたメッセージについて加入者設備により監視されるスロットの間に衝突があるであろう。該衝突は、同じスロットで反復されるであろう。結果として、特定のスロットを監視している加入者設備はつねにマルチキャストページと個々のページの間の衝突に遭遇するであろう。オフセットＸを式（２）に導入し、式（１）を生じさせても衝突は完全に排除されないが、衝突が同じスロット内で周期的に発生するのを防ぐため、衝突はすべての加入者設備の間で拡散される。したがって、それぞれの加入者設備は、影響を受けないスロット内のどれかのメッセージを復号できる。
【００５３】
各ＢＰＣの第１のスロットは、以下の式が当てはまるＦ−ＰＣＨ／Ｆ−ＣＣＣＨスロットであり、
ｔ/４ｍｏｄ（ＢＰＣ）＝ｔ/４ｍｏｄ（Ｂ＋Ｘ）＝０                          （３）
ここでｔはフレームで表されるシステム時間を表し、
ｍｏｄはモジュロ演算を意味する。
【００５４】
このような取り決めは、各加入者設備が起動して、他の種類のメッセージについて携帯電話に個別に割り当てられるスロットだけではなく、Ｆ−ＰＣＨ／Ｆ−ＣＣＣＨのＢＰＣのあらゆる第１のスロットも監視することを必要とし、このようにして電力消費を増加させる。このような電力消費を回避するために、Ｆ−ＰＣＨ／Ｆ−ＣＣＣＨと関連付けられる順方向クイックページングチャネル（Ｆ−ＱＰＣＨ）のスロットは、対応するＦ−ＰＣＨ／Ｆ−ＣＣＣＨのＢＰＣの第１のスロット上での共通ＭＰＣの発生または非発生についてＦ−ＱＰＣＨを監視する加入者設備に知らせるために使用される放送インジケータ（ＢＩ）ビットを含む。Ｆ−ＰＣＨ／Ｆ−ＣＣＣＨのＢＰＣの第１のスロットで共通ＭＰＣがある場合には、対応するＦ−ＱＰＣＨスロットのＢＩビットはＯＮにされ、その結果加入者設備がＦ−ＰＣＨ／Ｆ−ＣＣＣＨ上でＢＰＣの第１のスロットの監視を開始することになる。加入者設備は起動し、ＢＰＣの第１のＦ−ＱＰＣＨスロットのＢＩビットを監視することを必要とされるが、ＢＩの持続期間はＦ−ＰＣＨ／Ｆ−ＣＣＣＨのスロットの持続期間よりはるかに短いため、起動時間はさらに短くなり、したがって電池の消費が回避される。
【００５５】
前述された実施形態の優位点とは、すべてのマルチキャストコール用のＭＣＰがＦ−ＰＣＨ／Ｆ−ＣＣＣＨ上のＢＰＣの第１のスロットで送信されるため、ＭＣＰが存在するときには、対応するＦ−ＱＰＣＨ上のＢＩ個のビットがＯＮに設定される点である。結果として、ＢＩインジケータを監視している各加入者設備は起動し、Ｆ−ＰＣＨ／Ｆ−ＣＣＣＨの第１のスロットを監視し、ＭＣＰが加入者設備向けであるかどうかを判断しなければならない。したがって、ＭＣＰが向けられるマルチキャストグループに属していない加入者設備は依然として電力消費を増加する。図５に描かれているように、マルチキャストグループ（ＧＣ＿１）に属する加入者設備ＭＳ１とＭＳ２用の共通ＭＣＰを含むＧＰＭは、Ｆ−ＰＣＨ／Ｆ−ＣＣＣＨ（スロット０＿ｐ）でＢＰＣの第１のスロットで送信される。しかしながら、Ｆ−ＱＰＣＨ（スロット０＿ｑ）の対応するスロットの中のＢＩ個のビットがＯＮに設定されるため、すべての加入者設備ＭＳ１からＭＳ４は起動し、Ｆ−ＰＣＨ／Ｆ−ＣＣＣＨのスロット０＿ｐを監視しなければならない。同様に、マルチキャストグループ（ＧＣ＿２）に属する加入者設備ＭＳ３用の共通ＭＣＰを含むＧＰＭは、Ｆ−ＰＣＨ／Ｆ−ＣＣＣＨ（スロット４＿ｐ）の次のＢＰＣの第１のスロットで送信される。したがって、ＧＰＭは加入者設備ＭＳ３向けの共通ＭＣＰだけを含んでいるが、Ｆ−ＱＰＣＨ（スロット４＿ｑ）の対応するスロットのＢＩ個のビットはオンに設定され、すべての加入者設備ＭＳ１からＭＳ４は起動し、Ｆ−ＰＣＨ／Ｆ−ＣＣＣＨのスロット４＿ｐを監視しなければならない。
【００５６】
当業者は、前述された実施形態が既存の規格に対する譲歩としてＢＰＣの第１のスロットを活用したことを認識する。その結果として、このような制限は一般的には不必要であり、アクセスネットワークおよび加入者設備によって事前合意されたＢＰＣの任意のスロットを使用できる。その結果として、別の実施形態に従って、ＭＰＣがＦ−ＰＣＨ／Ｆ−ＣＣＣＨのＢＰＣの第１のスロットだけで送信されてよいという制限が削除される。専門用語の一貫性を保つために、用語ＢＰＣは用語マルチキャストページングサイクル（ＭＰＣＹ）で置換される。当業者は、ＢＰＣとＭＰＣＹの概念が同一であることを理解する。加入者設備がＦ−ＰＣＨ／Ｆ−ＣＣＣＨのあらゆるスロットを監視するために起動しないことが依然として所望されるため、セクタがどのスロットでメッセージを特定のマルチキャストグループに送信するのかを決定できるようにする、および該マルチキャストグループに属する加入者設備（複数の場合がある）がどのスロットを監視するのかを決定できるようにする手順を確立することが必要である。手順は、ＭＰＣＹ内のスロットの総数などの入力パラメータおよびＧＲＯＵＰ＿ＩＤを受け入れ、そのＧＲＯＵＰ＿ＩＤによって識別されるマルチキャストグループに属する加入者設備用の共通ＭＰＣを含むページングメッセージが送信されるスロットを識別する番号を出力する、ハッシュ関数などのマッピング関数によって定義される。代わりに、マッピングはスロット番号にＧＲＯＵＰ＿ＩＤをマッピングするテーブルまたは任意の他のアルゴリズムとして実現することもできる。加入者設備には、例えばグループへの加入時に、加入者設備が属するそれぞれのグループのＧＲＯＵＰ＿ＩＤが与えられるため、加入者設備はハッシュ関数を使用して、ＢＩインジケータを読むために監視するＦ−ＱＰＣＨスロットを決定する。これにより偽の警報の確率が削減する。つまり加入者設備は、加入者設備が属していないマルチキャストグループのためのＭＣＰについて起動する。当業者は、一例としてのみハッシュ関数が使用され、アクセスネットワークと加入者設備の両方が同じ入力パラメータを与えられる同じスロットに到達できるようにする他のマッピング関数が受け入れ可能であることを理解する。
【００５７】
前述された実施形態によるメッセージフローの例は、図６に描かれている。瞬間ｔ１では、セクタＳは、情報源（図示せず）から加入者設備ＭＳ＿１とＭＳ＿２を備える、ＧＲＯＵＰ＿ＩＤｘ付きのグループ向けのマルチキャストコールが開始するという表示ＧＲＯＵＰ＿ＩＤｘを受信する。説明されたように、このような情報源は、例えば、サーバ、別の加入者設備、または別のソースを備えてよい。セクタＳは、加入者設備ＭＳ＿１とＭＳ＿２のためのＧＲＯＵＰ＿ＩＤｘを含む共通のＭＣＰを作成し、ＭＰＣＹのスロット数とともにＧＲＯＵＰ＿ＩＤｘをマッピング関数に入力する。図７を参照すると、ハッシュ関数は、ＧＲＯＵＰ＿ＩＤｘのためのＭＣＰがスロット０＿ｐで送信されるという表示を返す。Ｆ＿ＣＣＣＨのスロット０＿ｐに対応するＦ−ＱＰＣＨのスロット（スロット０＿ｑ）の始まりを示す瞬間ｔ２で、セクタＳはＢＩビットをＯＮに設定する。Ｆ−ＱＰＣＨのどのスロットを監視するのかを決定するために同じハッシュ関数を使用した加入者設備ＭＳ＿１とＭＳ＿２は、スロット０＿ｑのＢＩビットがオンに設定されることを検出する。次に、加入者設備ＭＳ＿１とＭＳ＿２は、瞬間ｔ３でスロット０＿ｑの監視のために起動する。スロット０＿ｐの始まりを示す瞬間ｔ３では、セクタＳがＧＰＭなどのページメッセージの一部としてＭＣＰを送信する。
【００５８】
図５に示されているように、ＭＳ＿３は、ＧＲＯＵＰ＿ＩＤｘにより示されるマルチキャストグループとは異なるマルチキャストグループのメンバーである。ＭＳ＿３が属するマルチキャストグループに対するマルチキャストコールの要求は受信されていないため、Ｆ＿ＣＣＣＨのスロット１＿ｐで通知は必要とされず、Ｆ＿ＣＣＣＨのスロット１＿ｑに対応するＦ−ＱＰＣＨのスロット内のＢＩ個のビットがオフに設定される。
【００５９】
別の実施形態においては、加入者設備は、エアインタフェースシグナリング層より高いプロトコル層上でマルチキャストコールについて知らされる。この技術で既知であるように、層化はそれ以外の場合分離される処理エンティティ、つまり層の間で明確なカプセル化されたデータユニットに通信プロトコルを編成するための方法である。プロトコル層は基地局１１０と遠隔局１１６の両方で実現される。開放型システム間相互接続（ＯＳＩ）モデルに従って、プロトコル層Ｌ１は基地局と遠隔局の間の無線信号の送信と受信に対処し、層Ｌ２はシグナリングメッセージの正しい送信と受信に対処し、層３は通信システムのための制御メッセージングに対処する。層Ｌ３は、基地局１１０と遠隔局１１６の間の通信プロトコルのセマンティクスとタイミングに従って、シグナリングメッセージを発し、終了する。ｃｄｍａ２０００システムにおいては、エアインタフェースシグナリング層Ｌ１は物理層と呼ばれ、Ｌ２はリンクアクセス制御（ＬＡＣ）層、または媒体アクセス制御（ＭＡＣ）層と呼ばれ、Ｌ３はシグナリング層と呼ばれる。シグナリング層の上には、ＯＳＩモデルに従ってＬ４からＬ７と番号が付けられ、トランスポート層、セッション層、プレゼンテーション層、およびアプリケーション層と呼ばれる層がある。
【００６０】
実施形態に従って、情報源と、既存の通信システムインタフェースを使用する加入者設備の間にリンク層セッションが確立される。このようなリンク層プロトコルは、例えばポイントツーポイントプロトコル（ＰＰＰ）、シリアル回線インターネットプロトコル（ＳＬＩＰ）、または本発明の範囲から逸脱することなく活用されてよい当業者に既知の他のリンク層プロトコルを備えることができる。リンク層プロトコルは、ＩＳ−７０７規格などの当業者に既知の文書に説明されている。その結果、マルチキャストコール通知メッセージはリンク層セッションのインターネットプロトコル（ＩＰ）接続を介して送信される。
【００６１】
図８は、ある実施形態によるメッセージフローの例を描いている。瞬間ｔ１で、セクタＳは、パケットサービスデータノード（ＰＳＤＮ）を介して情報源から、加入者設備ＭＳ＿１を備えるグループ向けのマルチキャストコールが開始するという表示Ｐａｇｅ（ＭＳ＿１）を受信する。セクタＳは、ＰＰＰ（ＤＰ）を要求する呼セットアップのために加入者設備ＭＳ＿１向けのページレコードを作成する。要求された呼はポイントツーポイント型の呼であるため、ページレコードはメンバー加入者設備ごとの個別である。ＩＳ−７０７に従って、このようなサービスオプションはＳＯ３３である。前述されたように、サービスオプションは、ページレコードのコンテンツ部分に含まれる。次に、セクタＳは、ＧＰＭなどの適切なページメッセージを作成し、加入者設備ＭＳ＿１に割り当てられるページングスロットを時間ｔ２まで待機する。時間ｔ２では、ページメッセージはＭＳ＿１にＧＰＭ（ＤＰ：ＳＯ３３）の一部として送信される。ある実施形態では、加入者設備ＭＳ＿１は時間ｔ３でＭＣＰの受信を肯定応答する。図８に描かれているように、ＩＳ−２０００規格による通信システムでは、応答は、アクセスチャネルなどのリバースチャネルで変調されるページ応答メッセージ（ＰＲＭ（ＳＯ３３））を備える。時間ｔ４で、セクタＳは、どのチャネルが使用するマルチキャストコールであるのかの通知を送信する。ＩＳ−２０００規格による通信システムにおいては、このような通知は拡張チャネル割り当てメッセージ（ＥＣＡＭ）で送信される。その結果として、ＳＯ３３呼は、ＥＣＡＭにより割り当てられるチャネルで確立される。いったんＳＯ３３呼が確立されると、ソースＰＤＳＮと加入者設備ＭＳ＿１の間のＰＰＰが時間ｔ５で確立される。次にＭＳ＿１はＰＰＰ上でマルチキャストコール開始について通知を受ける。マルチキャストグループに属し、マルチキャストコールに関心のある残りの加入者設備は、前述された手順に従う（簡略化のためにただ１つの追加加入者設備ＭＳ＿２が図示されている）。別の実施形態に従って、ソースからＧＲＯＵＰ＿ＩＤによって識別されるグループに対するマルチキャストコールについての通知を受信すると、セクタは、マルチキャストコールが向けられるグループ内のすべての加入者設備にマルチキャストアドレス指定ページレコードを送信し、リンク層プロトコルの確立を要求する。前述されたように、ＧＲＯＵＰ＿ＩＤによって識別されるグループに属する加入者設備はページングチャネル上の同じスロットを必ずしも割り当てられるわけではない。その結果として、マルチキャストアドレス指定ページを適切に送達するための前述された解決策のいずれも適用可能である。
【００６２】
グループに属する加入者設備がＰＲＭを送信することによりマルチキャストアドレス指定ページにいったん応答すると、セクタは前述されたような加入者設備でＳＯ３３などのリンク層プロトコルをセットアップし、リンク層プロトコル上でマルチキャストコール開始について加入者設備に通知する。それから、リンク層プロトコル呼セットアップおよび通知は、それぞれの残りの加入者設備について繰り返される。マルチキャストアドレス指定ページ送信時にアクセスネットワークが個々の加入者設備のアイデンティティを必ずしも知らなかったが、加入者設備からの応答受信時にアイデンティティは明らかにされたため、このような個別リンク層プロトコルセットアップは可能である。
【００６３】
（マルチキャストコール開始の通知に対する応答）
前述されたように、マルチキャストコールを開始するとき、マルチキャストグループのメンバーである加入者設備は通知を受けなければならない。加入者設備がいったん、マルチキャストコールが開始するという通知を受け取ると、加入者設備が通知に応答するかどうか、および加入者設備がどのようにして通知に応答するかについて複数の代替策がある。
【００６４】
１つの代替策に従って、加入者設備はマルチキャストサービスへの参加に関心があったとしても応答することを必要とされない。このような代替策は、例えば、一般的な関心事であり、株式市場情報更新、ストリーミングビデオ、および類似した性質の他の情報などの各加入者設備にとってのその送達が重大ではないマルチキャストサービスのケースで許容される。
【００６５】
別の代替策に従って、加入者設備はマルチキャストサービスへの参加に関心がある場合、応答することをつねに必要とされる。応答は、例えばアクセスネットワークへリバースチャネル上で送信されるメッセージを備える。ＩＳ−２００００規格に従う通信システムにおけるこのようなメッセージの例はリバースアクセスチャネル（Ｒ−ＡＣＨ）、リバース拡張アクセスチャネル（Ｒ−ＥＡＣＨ）、およびリバース共通制御チャネル（Ｒ−ＣＣＣＨ）で送信されるページ応答メッセージである。このような応答は、アクセスネットワークによって講じられる次の処置に有効な情報を含まなければならない。通信システムの設計特徴に応じて、このような情報は、加入者設備がマルチキャストサービスに加わることに関心があるかどうか、加入者設備がマルチキャストサービスに加わることに関心がないかどうか、加入者設備が関心はあるが、データレートなどの必要とされる構成をサポートしていなために参加することができないかどうかを示してよい。
【００６６】
アクセスネットワークはチャネル割り当ての前にメンバー加入者設備から応答を待機する。このような代替策は、アクセスネットワークが、各加入者設備が参加するかどうかを知ることを必要とするサービスについて必要とされる。加えて、応答により、アクセスネットワークは、マルチキャストコンテンツに共用チャネルを割り当てるのか、あるいは専用チャネルを割り当てるのかを決定できる。各加入者設備に対して専用チャネルを割り当てるという決定が下されると、応答によりアクセスネットワークは参加していない加入者設備に対して専用のトラヒックチャネルを割り当てないようにする。
【００６７】
前述されたように、ある実施形態では、マルチキャストグループのメンバーである各加入者設備は、メンバー加入者設備に対してアドレス指定される共通メッセージによってグループ向けとなるマルチキャストコールの開始について通知を受ける。共通メッセージで識別されるグループのメンバーではない加入者設備が通知を受け取ると、加入者設備は通知を無視し、応答しない場合がある。しかしながら、特別マルチキャストグループ形成がサポートされる場合には、通知を受け取るすべての加入者設備が応答をすることを必要とされる場合がある。用語特別マルチキャストグループは、ここでは、所定ではないが、マルチキャストコールの開始時に作成されるマルチキャストグループを意味するために使用される。特別マルチキャストグループ形成がサポートされているかどうかに関係なく、共通メッセージ通知に対する応答が必要とされることにより、通知を受け取った加入者設備からの応答が引き出される。多数の加入者設備が応答してよいため、応答が一斉に集中して起こる衝突を回避するために、グループ内の加入者設備からのページ応答メッセージなどの応答メッセージをずらす方法が実現されてよい。
【００６８】
別の実施形態に従って、加入者設備は、加入者設備がマルチキャストサービスへの参加に関心がない場合でもつねに応答することを必要とされる。このような代替策は、アクセスネットワークが、各加入者設備が参加するかどうかを確実に知ることを必要とするサービスに対して必要とされる。前記代替策とは異なり、この代替策によりアクセスネットワークは、マルチキャストサービスに対して関心がないために応答しない加入者設備と、通知を受け取っていないために応答しない加入者設備とを明確に区別できる。したがって、アクセスネットワークは、通知を繰り返すなどの適切な処置を講じてよい。前記代替策に関して説明されるような残りの考慮すべき事柄も適用可能である。
【００６９】
前述された代替策が個別指導のためだけに別々に取り扱われたことが当業者により理解されるであろう。共通システムはマルチキャストサービスに適切な代替策を使用するであろう。例えば、各加入者設備への送達が重大ではないマルチキャストコールが開始するときには、メンバー加入者設備からの応答は必要とされなくてよい。同じメンバー加入者設備が以後のマルチキャストコールに参加する必要があるときには、応答は必要とされる場合がある。アクセスネットワークにより応答が必要とされるかどうか、およびアクセスネットワークによってどの応答が必要とされるかどうかの表示は、例えば、通知メッセージに含まれるシグナリングによって加入者設備に示すことができる。しかしながら、応答表示の他の手段が検討される。
【００７０】
（マルチキャストコール開始のためのチャネル割り当て）
前記に暗に示されるように、通信システム１００は、順方向リンクチャネル１１４上でメンバー加入者設備にコンテンツを提供する。その結果として、順方向リンクチャネルは、メンバー加入者設備の間で共用されるのか、あるいは各メンバー加入者設備と基地局の間で個別に確立されるのかに関係なく、マルチキャストサービスが開始する前に通信システム１００のエンティティにより割り当てられなければならない。
【００７１】
前述されたように、複数の通知方法、複数の応答方法、および複数のチャネル割り当て方法がある。その結果として、以下の実施形態に説明されるように、通知、応答およびチャネル割り当ての複数の考えられる組み合わせが可能である。
【００７２】
説明されるように、ある実施形態では、メンバー加入者設備は共通オーバヘッドメッセージまたは共通ページメッセージを介してマルチキャストサービスについて通知される。マルチキャストサービス通知は複数の加入者設備に対する１つの共通メッセージで放送され、個々の加入者設備に放送されないため、該共通メッセージを作成するエンティティは、マルチキャストグループの個々のメンバー加入者設備のアイデンティティを知る必要がない。
【００７３】
メンバー加入者設備が応答することを必要とされない場合、チャネル識別（ＩＳ−２０００規格に従った通信システムのケースではウォルシュ符号）、データレートおよび当業者に既知の他の割り当て情報などのマルチキャストサービストラヒックチャネル向けのチャネル割り当て情報は通知の一部として含まれてよい。その結果として、共通オーバヘッドメッセージを介する通知ケースでは、チャネル割り当て情報はオーバヘッドメッセージの一部となるであろう。共通ページメッセージを介した通知のケースでは、チャネル割り当て情報はＭＣＰの一部である。チャネル割り当て情報がマルチキャストされ、応答が必要とされないため、割り当てられるチャネルのタイプは共用チャネルでなければならない。代わりに、チャネル割り当て情報は通知から別個の加入者設備に伝達されてよい。
【００７４】
いったん加入者設備がメッセージを処理すると、関心のある加入者設備（複数の場合がある）は、マルチキャストサービストラヒックを受信するための割り当てられたチャネルの監視を開始する。
【００７５】
前述された実施形態によるメッセージフローの例は、図９に描かれている。瞬間ｔ１で、セクタＳは識別子ＧＲＯＵＯＰ＿ＩＤｘ付きのグループ向けのマルチキャストコールが開始するという表示ＧＲＯＵＰ＿ＩＤｘを受信する。表示は、例えば基地局コントローラ、ＰＳＴＮ、情報源（図示せず）、および他のエンティティなどの通信システムの別のエンティティにより提供されてよい。代わりに、セクタＳは、加入者設備ＭＳ＿１とＭＳ＿２のアイデンティティを受信する。セクタＳは、次に、例えばデータベースを照会することによって加入者設備ＭＳ＿１とＭＳ＿２を備えるマルチキャストグループＧＲＯＵＰ＿ＩＤｘの識別子を決定する。説明されたように、情報源は、例えばサーバ、別の加入者設備、または当業者に既知の任意の他のソースなどを備えてよい。
【００７６】
セクタＳは、ある実施形態においては、放送システムパラメータメッセージＢＳＰＭを備える、識別子およびチャネル割り当て情報をオーバヘッドメッセージに入れる。セクタＳは時間ｔ２ｏでＢＳＰＭ（ＧＲＯＵＰ＿ＩＤｘ、チャネル割り当て情報）を放送する。識別子付きのグループのメンバーである加入者設備ＭＳ＿１とＭＳ＿２は、ＢＳＰＭ（ＧＲＯＵＰ＿ＩＤｘ、チャネル割り当て情報）を受信し、ＢＳＰＭを処理し、時間ｔ３で、識別されたマルチキャストコールが送信されている物理チャネルに同調し、監視を開始するなどの適切な処置を講じる。時間ｔ４で、マルチキャストサービスのコンテンツは、トラヒックチャネル（Ｇｒｏｕｐ＿ＩＤｘのためのトラヒック）で送信を開始される。説明されたように、オーバヘッドメッセージＢＳＰＭはそれ自体周期的に反復し、その結果として、識別子およびチャネル割り当て情報が各メッセージに含まれる場合には、同様に識別子およびチャネル割り当て情報がオーバヘッドメッセージＢＳＰＭの次のインスタンス（複数の場合がある）で送信される。時間ｔ２ｏでのただ１つのインスタンスが示される。
【００７７】
代わりに、セクタＳは識別子およびチャネル割り当て情報を、一般ページメッセージ（ＧＰＭ）などのページメッセージの中に含める。セクタＳは前述された実施形態のどれかを使用してメンバー加入者設備により監視されるページングチャネル上のスロットを決定する。次に、セクションは、時間ｔ２ｐでスロットでＧＰＭ（ＭＣＰ：ＧＲＯＵＰ＿ＩＤｘ、チャネル割り当て情報）を送信する。識別子付きのグループのメンバーである加入者設備ＭＳ＿１とＭＳ＿２は、ＧＰＭ（ＭＣＰ：ＧＲＯＵＰ＿ＩＤｘ、チャネル割り当て情報）を受信し、ＧＰＭを処理し、時間ｔ３で、例えば、識別されているマルチキャストコールが送信されている物理チャネルに同調し、監視を開始するなどの適切な処置を講じる。時間ｔ４で、マルチキャストサービスのコンテンツは、トラヒックチャネル（Ｇｒｏｕｐ＿ＩＤｘのためのトラヒック）で送信を開始される。
【００７８】
メンバー加入者設備がチャネル割り当ての前に応答することを必要とされる場合、共通メッセージ内のマルチキャストサービス通知受信時に、関心のある加入者設備は応答を送信する。このような応答は、関心のある加入者設備のマルチキャストサービスに参加する希望を示す、例えばシグナリングメッセージ（共通オーバヘッドメッセージに対する応答としてのマルチキャストサービス加入メッセージ、あるいは共通ページメッセージに対する応答としてのページ応答メッセージなどの新しいタイプのメッセージ）を備えてよい。
【００７９】
応答受信時、チャネル割り当てを担当するアクセスネットワークのエンティティは割り当てるチャネルのタイプを決定するために応答の数を考慮に入れてよい。ある実施形態では、アクセスネットワークは応答数を閾値に比較し、比較の結果に従ってチャネルのタイプを割り当てる。エンティティが共用チャネルを割り当てることを決定すると、アクセスネットワークは、共用マルチキャストサービストラヒックチャネルのための情報を含むマルチキャストチャネル割り当てメッセージ（ＭＣＡＭ）などの共通チャネル割り当てメッセージを送信する。したがって、ＭＣＡＭは関心のある加入者設備に共用チャネルを割り当てるためにマルチキャストアドレスを使用する。
【００８０】
前記に説明されたように、ＧＲＯＵＰ＿ＩＤにより識別されるグループに属する加入者設備はページングチャネル上で必ずしも同じスロットを割り当てられない。その結果として、マルチキャストコール開始情報を送達するための効率的な方法を有効にする方法が必要とされる。
【００８１】
ある実施形態では、通知の受信時に、加入者設備は非スロットモードでページングチャネルを監視することを必要とされる。その結果として、ＭＣＡＭは、任意のページングチャネルスロットで送信されてよい。
【００８２】
別の実施形態では、ＭＣＡＭはスロットを決定し、マルチキャストアドレス指定通知を送信するために利用される同じ方法を使用してスロットで送信される。
【００８３】
別の実施形態では、共通オーバヘッドメッセージまたは共通ページメッセージが、加入者設備がＭＣＡＭについて監視することを必要とされるページングチャネルスロット番号を示す。
【００８４】
別の実施形態では、ＭＣＡＭは加入者設備により監視されるスロットのそれぞれで送信される。
【００８５】
前述された実施形態は個別指導のためだけに別個に取り扱われたことが当業者によって理解されるであろう。通信システムは、マルチキャストサービスに適切な実施形態を使用する。実施形態の選択は、例えば通知で指定されてよい。
【００８６】
いったん加入者設備がメッセージを処理すると、関心のある加入者設備（複数の場合がある）は、マルチキャストサービストラヒックを受信するために、割り当てられたチャネルの監視を開始する。
【００８７】
前述された実施形態によるメッセージフローの例は、図１０に描かれている。瞬間ｔ１では、セクタＳは、識別子ＧＲＯＵＰ＿ＩＤｘ付きのグループ向けのマルチキャストコールが開始するという表示ＧＲＯＵＰ＿ＩＤｘを受信する。表示は、例えば基地局コントローラ、ＰＳＴＮ、情報源（図示せず）、および？他のエンティティなどの通信システムの別のエンティティにより提供されてよい。代わりに、セクタＳは、加入者設備ＭＳ＿１とＭＳ＿２のアイデンティティを受信する。次にセクタＳは、例えばデータベースを照会することによって加入者設備ＭＳ＿１とＭＳ＿２を備えるマルチキャストグループＧＲＯＵＰ＿ＩＤｘの識別子を決定する。説明されたように、情報源は、例えばサーバ、別の加入者設備、または当業者に既知の任意の他のソースなどを備えてよい。
【００８８】
セクタＳは、ある実施形態では放送システムパラメータメッセージＢＳＰＭを備えるオーバヘッドメッセージの中に識別子を含める。セクタＳは時間ｔ２ｏでＢＳＰＭ（ＧＲＯＵＰ＿ＩＤｘ）を放送する。識別子付きのグループのメンバーである加入者設備ＭＳ＿１とＭＳ＿２はＢＳＰＭ（ＧＲＯＵＰ＿ＩＤｘ）を受信し、ＢＳＰＭを処理し、応答メッセージを送信するなどの適切な処置を講じる。説明されたように、オーバヘッドメッセージＢＳＰＭはそれ自体周期的に繰り返し、その結果として、識別子が各メッセージに含まれる場合には、識別子はオーバヘッドメッセージＢＳＰＭの次のインスタンス（複数の場合がある）で送信されるであろう。時間ｔ２ｏでただ１つのインスタンスだけが示される。
【００８９】
代わりに、セクタＳは一般ページメッセージ（ＧＰＭ）などのページメッセージの中に識別子を含める。次に、セクタＳはメンバー加入者設備により監視されるページングチャネル上のスロットを決定し、時間ｔ２ｐでスロットでＧＰＭ（ＭＣＰ：ＧＲＯＵＰ＿ＩＤｘ）を送信する。識別子付きのグループのメンバーである加入者設備ＭＳ＿１とＭＳ＿２はＧＰＭ（ＭＣＰ：ＧＲＯＵＰ＿ＩＤｘ）を受信し、ＧＰＭを処理し、応答メッセージを送信するなどの適切な処置を講じる。
【００９０】
どの共通メッセージが通知に使用されたのかに関わりなく、加入者設備ＭＳ＿１とＭＳ＿２は、時間ｔ３とｔ４で応答を送信する。応答受信時、チャネル割り当てを担当するアクセスネットワークのエンティティは共用チャネルを割り当てることを決定する。セクタＳは、例えばＭＣＡＭなどの共通チャネル割り当てメッセージを送信する方法を決定し、時間ｔ５で共用マルチキャストサービストラヒックチャネルＭＣＡＭ（チャネル割り当て情報）のための情報を含むＭＣＡＭを送信する。加入者設備ＭＳ＿１とＭＳ＿２は、ＭＣＡＭを処理し、時間ｔ６で識別されたマルチキャストコールが送信されている物理チャネルに同調し、監視を開始するなどの適切な処置を講じる。時間ｔ７で、マルチキャストサービスのコンテンツはトラヒックチャネル（Ｇｒｏｕｐ＿ＩＤｘのためのトラヒック）で送信を開始される。
【００９１】
別の実施形態では、エンティティが共用チャネルを割り当てると決定すると、アクセスネットワークはそれぞれの応答するメンバー加入者設備に共用マルチキャストサービストラヒックチャネルのための情報を含む個別チャネル割り当てメッセージ（ＩＣＭＡ）を送信する。ＩＳ−２０００規格に従った通信システムに関連して、ＩＣＡＭは、例えば拡張チャネル割り当てメッセージを備えることができる。
【００９２】
アクセスネットワークは通知を送信するときに個別加入者設備のアイデンティティを必ずしも知らなかったが、加入者設備からの応答の受信時にアイデンティティが明らかにされたため、このような個別割り当てが可能である。
【００９３】
共用マルチキャストサービストラヒックチャネルはポイントツーポイント呼においてのように個別に割り当てられるため、ポイントツーポイントトラヒックチャネル割り当てのために知られている任意の方法が使用できる。その結果として、アクセスネットワークは関心のある加入者のそれぞれがいつページングチャネルを監視するのかを知っているため、各加入者設備のためにいつＩＣＡＭを送信するのかという問題は存在しない。
【００９４】
前述された実施形態によるメッセージフローの例は図１１に描かれている。瞬間ｔ１で、セクタＳが、識別子ＧＲＯＵＰ＿ＩＤｘ付きのグループ向けのマルチキャストコールが開始するという表示ＧＲＯＵＰ＿ＩＤｘを受信する。表示は、基地局コントローラ、ＰＳＴＮ、情報源（図示せず）および他のエンティティなどの通信システムの別のエンティティにより提供されてよい。代わりに、セクタＳは、加入者設備ＭＳ＿１とＭＳ＿２のアイデンティティを受信する。次に、セクタＳは、例えば、データベースを照会することによって加入者設備ＭＳ＿１とＭＳ＿２を備えるマルチキャストグループの識別子ＧＲＯＵＯＰ＿ＩＤｘを決定する。説明されたように、情報源は、例えばサーバ、別の加入者設備、あるいは当業者に既知の任意の他のソースを備えてよい。
【００９５】
セクタＳは、ある実施形態では放送システムパラメータメッセージＢＳＰＭを備えるオーバヘッドメッセージの中に識別子を含める。セクタＳは、時間ｔ２ｏでＢＳＰＭ（ＧＲＯＵＰ＿ＩＤｘ）を放送する。識別子付きのグループのメンバーである加入者設備ＭＳ＿１とＭＳ＿２はＢＳＰＭ（ＧＲＯＵＰ＿ＩＤｘ）を受信し、ＢＳＰＭを処理し、例えば応答メッセージを送信するなどの適切な処置を講じる。説明されたように、オーバヘッドメッセージＢＳＰＭはそれ自体周期的に繰り返し、その結果として識別子が各メッセージに含まれる場合は、識別子はオーバヘッドメッセージＢＳＰＭの次のインスタンス（複数の場合がある）で送信される。時間ｔ２ｏでのただ１つのインスタンスが図示されている。
【００９６】
代わりに、セクタＳは、一般ページメッセージ（ＧＰＭ）などのページメッセージの中に識別子を含める。セクタＳは、次にメンバー加入者設備によって監視されるページングチャネル上のスロットを決定し、時間ｔ２ｐでスロットのＧＰＭ（ＭＣＰ：ＧＲＯＵＰ＿ＩＤｘ）を送信する。識別子付きのグループのメンバーである加入者設備ＭＳ＿１とＭＳ＿２はＧＰＭ（ＭＣＰ：ＧＲＯＵＰ＿ＩＤｘ）を受信し、ＧＰＭを処理し、例えば応答メッセージを送信するなどの適切な処置を講じる。
【００９７】
どの共通メッセージが通知のために使用されたのかに関係なく、加入者設備ＭＳ＿１とＭＳ＿２は時間ｔ３とｔ４で応答を送信する。応答受信時、チャネル割り当てを担当するアクセスネットワークのエンティティは専用チャネルを割り当てることを決定する。セクタＳは受信された応答から加入者設備ＭＳ＿１とＭＳ＿２のアイデンティティを知っているため、セクタＳは加入者設備ＭＳ＿１とＭＳ＿２が応答に従ってページングチャネルを監視するスロットを決定する。セクタＳは、加入者設備ＭＳ＿１によって監視されるページングスロットを時間ｔ５まで待機してから、加入者設備ＭＳ＿１に個々のＩＣＡＭ（チャネル割り当て情報）を伝達する。同様に、セクタＳは加入者設備ＭＳ＿２によって監視されるページングスロットを時間ｔ６まで待機してから、個々のＩＣＡＭ（チャネル割り当て情報）を加入者設備ＭＳ＿２に伝達する。加入者設備ＭＳ＿１とＭＳ＿２はＩＣＡＭを処理し、例えば識別されたマルチキャストコールが時間ｔ５とｔ６で送信されている物理チャネルに同調し、監視を開始するなどの適切な処置を講じる。時間ｔ７でマルチキャストサービスのコンテンツはトラヒックチャネル（Ｇｒｏｕｐ＿ＩＤｘのためのトラヒック）で送信を開始される。
【００９８】
別の実施形態では、エンティティがそれぞれの応答するメンバー加入者設備のために専用チャネルを割り当てることを決定すると、アクセスネットワークは、それぞれの応答するメンバー加入者設備に専用マルチキャストサービストラヒックチャネルのための情報を含む個々のチャネル割り当てメッセージを送信する。
【００９９】
このような個々の割り当ては、アクセスネットワークは通知送信時に個々の加入者設備のアイデンティティを必ずしも知らなかったが、加入者設備からの応答受信時にアイデンティティが明らかにされたために可能である。
【０１００】
マルチキャストサービストラヒックチャネルがポイントツーポイント呼においてのように個別に割り当てられるため、ポイントツーポイントトラヒックチャネル割り当てについて既知の方法を使用できる。特に、アクセスネットワークは、関心のある加入者設備のそれぞれがいつページングチャネルを監視するのかを知っている。
【０１０１】
前述された実施形態によるメッセージフローの例は、図１２に描かれている。瞬間ｔ１で、セクタＳが、識別子ＧＲＯＵＰ＿ＩＤｘ付きのグループ向けのマルチキャストコールが開始するという表示ＧＲＯＵＰ＿ＩＤｘを受信する。表示は、基地局コントローラ、ＰＳＴＮ、情報源（図示せず）および他のエンティティなどの通信システムの別のエンティティによって提供されてよい。代わりに、セクタＳは、加入者設備ＭＳ＿１とＭＳ＿２のアイデンティティを受信する。次に、セクタＳは、例えばデータベースを照会することによって加入者設備ＭＳ＿１とＭＳ＿２を備えるマルチキャストグループの識別子ＧＲＯＵＰ＿ＩＤｘを決定する。説明されたように、情報源は、例えばサーバ、別の加入者設備、または当業者に既知の他のソースを備えてよい。
【０１０２】
セクタＳは、ある実施形態では放送システムパラメータメッセージＢＳＰＭを備えるオーバヘッドメッセージの中に識別子を含める。セクタＳは、時間ｔ２ｏでＢＳＰＭ（ＧＲＯＵＰ＿ＩＤｘ）を放送する。識別子付きのグループのメンバーである加入者設備ＭＳ＿１とＭＳ＿２はＢＳＰＭ（ＧＲＯＵＰ＿ＩＤｘ）を受信し、ＢＳＰＭを処理し、例えば応答メッセージを送信するなど適切な処置を講じる。説明されたように、オーバヘッドメッセージＢＳＰＭはそれ自体周期的に繰り返し、その結果として識別子が各メッセージに含まれる場合には、識別子はオーバヘッドメッセージＢＳＰＭの次のインスタンス（複数のバイアがある）で送信される。時間時間ｔ２ｏでのただ１つのインスタンスだけが図示されている。
【０１０３】
代わりに、セクタＳは一般ページメッセージ（ＧＰＭ）などのページメッセージに識別子を含める。セクタＳは次にメンバー加入者設備により監視されるページングチャネル上のスロットを決定し、時間ｔ２ｐでスロットでＧＰＭ（ＭＣＰ：ＧＲＯＵＰ＿ＩＤｘ）を送信する。識別子付きのグループのメンバーである加入者設備ＭＳ＿１とＭＳ＿２はＧＰＭ（ＭＣＰ：ＧＲＯＵＰ＿ＩＤｘ）を受信し、ＧＰＭを処理し、例えば応答メッセージを送信するなどの適切な処置を講じる。
【０１０４】
どの共通メッセージが通知に使用されたのかに関わりなく、加入者設備ＭＳ＿１とＭＳ＿２は時間ｔ３とｔ４で応答を送信する。応答受信時、チャネル割り当てを担当するアクセスネットワークのエンティティは専用チャネルを割り当てることを決定する。セクタＳは受信された応答から加入者設備ＭＳ＿１とＭＳ＿２のアイデンティティを知っているため、セクタＳは、加入者設備ＭＳ＿１とＭＳ＿２が応答に従ってページングチャネルを監視するスロットを決定する。
【０１０５】
セクタＳは、加入者設備ＭＳ＿１によって監視されるページングスロットを時間ｔ５まで待機してから、加入者設備ＭＳ＿１に個々のＩＣＡＭ（チャネル割り当て情報）を伝達する。加入者設備ＭＳ＿１は、ＩＣＡＭを処理し、例えば識別されたマルチキャストコールが時間ｔ５で送信されている物理チャネルに同調し、監視を開始するなどの適切な処置を講じる。
【０１０６】
同様に、セクタＳは、加入者設備ＭＳ＿２によって監視されるページングスロットを時間ｔ７まで待機してから、個々のＩＣＡＭ（チャネル割り当て情報）を加入者設備ＭＳ＿２に伝達する。加入者設備ＭＳ＿２はＩＣＡＭを処理し、例えば識別されたマルチキャストコールが時間ｔ６で送信されている物理チャネルに同調し、監視を開始するなどの適切な処置を講じる。
【０１０７】
時間ｔ７で、マルチキャストサービスのコンテンツは専用トラヒックチャネル（Ｇｒｏｕｐ＿ＩＤｘのためのトラヒック）での送信を開始される。
【０１０８】
別の実施形態では、エンティティがそれぞれの応答するメンバー加入者設備のために専用チャネルを割り当てることを決定する場合、アクセスネットワークは、共通チャネル割り当てメッセージ、つまり個々のマルチキャストサービストラヒックチャネルのそれぞれのための情報を含むマルチキャストチャネル割り当てメッセージ（ＭＣＡＭ）を送信する。このようにして、マルチキャストアドレスを活用する１つのＭＣＡＭが、それぞれの関心のある加入者設備のために専用マルチキャストサービストラヒックチャネルを割り当てる。
【０１０９】
前記に説明されたように、ＧＲＯＵＰ＿ＩＤにより識別されるグループに属する加入者設備はページングチャネルで必ずしも同じスロットを割り当てられない。その結果としてマルチキャストコール開始情報を送達するための効率的な方法を有効にするための方法が必要とされる。
【０１１０】
ある実施形態では、通知受信時に、加入者設備は非スロットモードでページングチャネルを監視することを必要とされる。その結果として、ＭＣＡＭは任意のページングチャネルスロットで送信されてよい。
【０１１１】
別の実施形態では、ＭＣＡＭは、スロットを決定し、マルチキャストアドレス指定通知を送信するために利用される同じ方法を使用してスロットで送信される。
【０１１２】
別の実施形態では、共通オーバヘッドメッセージまたは共通ページメッセージは、加入者設備がＭＣＡＭを監視することを必要とされるページングチャネルスロット番号を示す。
【０１１３】
別に実施形態では、ＭＣＡＭは加入者設備により監視されるスロットのそれぞれで送信される。
【０１１４】
前述された実施形態が個別指導のために別々に処理されたことが当業者により理解されるであろう。通信システムはマルチキャストサービスに適切な実施形態を使用する。実施形態の選択は、例えば通知の中で指定されてよい。
【０１１５】
いったん加入者設備がメッセージを処理すると、関心がある加入者設備（複数の場合がある）は、マルチキャストサービストラヒックを受信するために割り当てられたチャネルの監視を開始する。
【０１１６】
前述された実施形態によるメッセージフローの例は、図１１に描かれている。瞬間ｔ１で、セクタＳは、識別子ＧＲＯＵＰ＿ＩＤｘ付きのグループ向けのマルチキャストコールが開始するという表示ＧＲＯＵＰ＿ＩＤｘを受信する。表示は、基地局コントローラ、ＰＳＴＮ、情報源（図示せず）、および他のエンティティなどの通信システムの別のエンティティによって提供されてよい。代わりに、セクタＳは、加入者設備ＭＳ＿１とＭＳ＿２のアイデンティティを受信する。セクタＳは、次に例えばデータベースを照会することによって加入者設備ＭＳ＿１とＭＳ＿２を備えるマルチキャストグループＧＲＯＵＰ＿ＩＤｘの識別子を決定する。説明されたように、情報源は、例えばサーバ、別の加入者設備、または当業者に既知の任意の他のソースを備えてよい。
【０１１７】
それから、セクタＳは、ある実施形態では放送システムパラメータメッセージＢＳＰＭを備えるオーバヘッドメッセージの中に識別子を含める。セクタＳは、時間ｔ２ｏでＢＳＰＭ（ＧＲＯＵＰ＿ＩＤｘ）を放送する。識別子付きのグループのメンバーである加入者設備ＭＳ＿１とＭＳ＿２はＢＳＰＭ（ＧＲＯＵＰ＿ＩＤｘ）を受信し、ＢＳＰＭを処理し、例えば応答メッセージを送信するなどの適切な処置を講じる。説明されたように、オーバヘッドメッセージＢＳＰＭはそれ自体周期的に繰り返し、その結果として、識別子が各メッセージに含まれる場合、識別子はオーバヘッドメッセージＢＳＰＭの次のインスタンス（複数の場合がある）で送信される。時間ｔ２ｏでのただ１つのインスタンスだけが図示されている。
【０１１８】
代わりに、セクタＳは、一般ページメッセージ（ＧＰＭ）などのページメッセージに識別子を含める。セクタＳは、次にメンバー加入者設備により監視されるページングチャネルでのスロットを決定し、時間ｔ２ｐでスロットでＧＰＭ（ＭＣＰ：ＧＲＯＵＰ＿ＩＤｘ）を送信する。識別子付きのグループのメンバーである加入者設備ＭＳ＿１とＭＳ＿２はＧＰＭ（ＭＣＰ：ＧＲＯＵＰ＿ＩＤｘ）を受信し、ＧＰＭを処理し、例えば応答メッセージを送信するなどの適切な処置を講じる。
【０１１９】
どの共通メッセージが通知に使用されたのかに関わりなく、加入者設備ＭＳ＿１とＭＳ＿２は時間ｔ３とｔ４で応答を送信する。応答受信時、チャネル割り当てを担当するアクセスネットワークのエンティティは、専用チャネルを割り当てることを決定する。セクタＳは、例えばＭＣＡＭなどの共通チャネル割り当てメッセージを送信する方法を決定し、時間ｔ５で専用マルチキャストサービストラヒックチャネルＭＣＡＭ（チャネル割り当て情報）のための情報を含むＭＣＡＭを送信する。
【０１２０】
加入者設備ＭＳ＿１はＭＣＡＭを処理し、例えば識別されたマルチキャストコールが時間ｔ６で送信されている物理チャネルに同調し、監視を開始するなどの適切な処置を講じる。
【０１２１】
同様に、加入者設備ＭＳ＿２はＩＣＡＭを処理し、例えば識別されたマルチキャストコールが時間ｔ６で送信されている物理チャネルに同調し、監視を開始するなどの適切な処置を講じる。
【０１２２】
時間ｔ７では、マルチキャストサービスのコンテンツは専用トラヒックチャネル（Ｇｒｏｕｐ＿ＩＤｘのためのトラヒック）で送信を開始される。
【０１２３】
ある実施形態では、各メンバー加入者設備は、個別ページメッセージを介してマルチキャストサービスについて通知される。マルチキャストサービス通知は複数の加入者設備に対して多様な個別ページメッセージを介して送信されるため、個別ページメッセージを作成するエンティティは個別メンバー加入者設備のアイデンティティを知る必要がある。
【０１２４】
メンバー加入者設備が応答することを必要とされない場合は、チャネル識別（ＩＳ−２０００規格に従った通信システムのケースではウォルシュ符号）、データレートおよび当業者に既知の他の割り当て情報などのマルチキャストサービストラヒックチャネルのためのチャネル割り当て情報は通知の一部として含まれてよい。その結果として、個別ページメッセージを介した通知のケースでは、チャネル割り当て情報は個別ページメッセージの一部となるであろう。チャネル割り当て情報は個別ページメッセージで提供されるため、割り当てられるチャネルのタイプは共用チャネルと専用チャネルの両方であってよい。
【０１２５】
メンバー加入者設備はマルチキャストサービス通知に応答することを必要とされていないため、個別ページメッセージを作成するエンティティがそれぞれのメンバー加入者設備に専用チャネルを割り当てることを決定したケースでは、エンティティはマルチキャストサービスに参加することに関心がない可能性があるメンバー加入者設備に専用リソースを割り当てている可能性がある。したがって、専用チャネルを割り当てられたメンバー加入者設備がマルチキャストサービスに参加することに関心があるのか、あるいは関心がないのかを判断することが望ましく、その結果、参加しないメンバー加入者設備用の専用チャネルは再生され、例えば標準ポイントツーポイント呼などの他のサービスに再利用されてよい。ある実施形態では、アクセスネットワークは、専用チャネルが割り当てられ、マルチキャストサービスが開始した後に、メンバー加入者設備が割り当てられた逆方向リンクチャネルでアクティブであるかどうかを判断する。
【０１２６】
いったん加入者設備がメッセージを処理すると、関心のある加入者設備（複数の場合がある）は、マルチキャストサービストラヒックを受信するために割り当てられたチャネルの監視を開始する。
【０１２７】
共用チャネルが割り当てられる前述された実施形態によるメッセージフローの例は、図１４に描かれている。瞬間ｔ１で、セクタＳは、マルチキャストコールが開始する識別子ＧＲＯＵＰ＿ＩＤｘ付きのグループを備える加入者設備ＭＳ＿１とＭＳ＿２のアイデンティティ、ＧＲＯＵＰ＿ＩＤｘを受信する。代わりに、セクタＳはグループ識別子ＧＲＯＵＰ＿ＩＤｘを受信する。情報は、例えば基地局コントローラ、ＰＳＴＮ、情報源（図示せず）および他のエンティティなどの通信システムの別のエンティティによって提供されてよい。セクタＳは、次に、例えばデータベースを照会することによって、加入者設備ＭＳ＿１とＭＳ＿２のアイデンティティを決定する。それから、セクタＳは、識別子ＧＲＯＵＰ＿ＩＤｘを含む個別ＭＣＰ、およびそれぞれの加入者設備ＭＳ＿１とＭＳ＿２のためにチャネル割り当て情報を作成し、一般ページメッセージ（ＧＰＭ）などのページメッセージにＭＣＰを含める。
【０１２８】
セクタＳは、次にメンバー加入者設備ＭＳ＿１とＭＳ＿２によって監視されるページングチャネル上のスロットを決定する。時間ｔ２で、メンバー加入者設備ＭＳ＿１によって監視されるスロットで、セクタＳはＧＰＭ（ＭＣＰ：ＧＲＯＵＰ＿ＩＤｘ、チャネル割り当て情報）を送信する。加入者設備ＭＳ＿１はＧＰＭ（ＭＣＰ：ＧＲＯＵＰ＿ＩＤｘ、チャネル割り当て情報）を受信し、ＧＰＭを処理し、例えば識別されたマルチキャストコールが送信されている物理チャネルに同調し、監視を開始するなどの適切な処置を講じる。
【０１２９】
時間ｔ２で、メンバー加入者設備ＭＳ＿２によって監視されるスロットで、セクタＳはＧＰＭ（ＭＣＰ：ＧＲＯＵＰ＿ＩＤｘ、チャネル割り当て情報）を送信する。加入者設備ＭＳ＿２はＧＰＭ（ＭＣＰ：ＧＲＯＵＰ＿ＩＤｘ、チャネル割り当て情報）を受信し、ＧＰＭを処理し、識別されたマルチキャストコールが送信されている物理チャネルに同調し、監視を開始するなどの適切な処置を講じる。
【０１３０】
時間ｔ４で、マルチキャストサービスのコンテンツは共用トラヒックチャネル（Ｇｒｏｕｐ＿ＩＤｘのためのトラヒック）で送信を開始される。
【０１３１】
専用チャネルが割り当てられる前述された実施形態によるメッセージフローの例は図１５に描かれている。瞬間ｔ１で、セクタＳはマルチキャストコールが開始する識別子ＧＲＯＵＰ＿ＩＤｘ付きのグループを備える加入者設備ＭＳ＿１とＭＳ＿２のアイデンティティ、ＧＲＯＵＰ  ＩＤ＿ｘを受信する。代わりに、セクタＳはグループ識別子ＧＲＯＵＰ＿ＩＤｘを受信する。情報は、例えば、基地局コントローラ、ＰＳＴＮ、情報源（図示せず）、および他のエンティティなどの通信システムの別のエンティティによって提供されてよい。セクタＳは、次に、例えばデータベースを照会することによって加入者設備ＭＳ＿１とＭＳ＿２のアイデンティティを決定する。それから、セクタＳは識別子ＧＲＯＵＰ＿ＩＤｘを含む個別ＭＣＰ、および加入者設備ＭＳ＿１とＭＳ＿２ごとにチャネル割り当て情報を作成し、一般ページメッセージ（ＧＰＭ）などのページメッセージにＭＣＰを含める。
【０１３２】
セクタＳは次にメンバー加入者設備ＭＳ＿１とＭＳ＿２によって監視されるページングチャネル上のスロットを決定する。時間ｔ２で、メンバー加入者設備ＭＳ＿１によって監視されているスロットでは、セクタＳがＧＰＭ（ＭＣＰ：ＧＲＯＵＰ＿ＩＤｘ、ＭＳ＿１用のチャネル割り当て情報）を送信する。加入者設備ＭＳ＿１はＧＰＭ（ＭＣＰ：ＧＲＯＵＰ＿ＩＤｘ、ＭＳ＿１用のチャネル割り当て情報）を受信し、ＧＰＭを処理し、時間ｔ３で加入者設備ＭＳ＿１について識別されたマルチキャストコールが送信されている（ＭＳ＿１のためのトラヒック）物理チャネルに同調し、監視を開始するなどの適切な処置を講じる。
【０１３３】
時間ｔ４で、メンバー加入者設備ＭＳ＿２によって監視されるスロットで、セクタＳはＧＰＭ（ＭＣＰ：ＧＲＯＵＰ＿ＩＤｘ、ＭＳ＿２用のチャネル割り当て情報）を送信する。加入者設備ＭＳ＿２は（ＭＣＰ：ＧＲＯＵＰ＿ＩＤｘ、ＭＳ＿２用のチャネル割り当て情報）を受信し、ＧＰＭＧＰＭを処理し、加入者設備ＭＳ＿２のための識別されたマルチキャストコールが時間ｔ３で送信されている（ＭＳ＿２のためのトラヒック）物理チャネルに同調し、監視を開始するなどの適切な処置を講じる。
【０１３４】
メンバー加入者設備がチャネル割り当ての前に応答することを必要とされる場合、個別ページメッセージでマルチキャストサービス通知を受信すると、関心のある加入者設備は、関心のある加入者設備のマルチキャストサービスに参加するという希望を示すページ応答メッセージのようなシグナリングメッセージなどの応答を送信した。
【０１３５】
応答受信時、チャネル割り当てを担当するアクセスネットワークのエンティティは、割り当てるためのチャネルのタイプを決定する上で応答の数を考慮に入れてよい。１つの実施形態では、アクセスネットワークは応答数を閾値に比較し、比較の結果に従ってチャネルのタイプを割り当てる。エンティティが共用チャネルを割り当てることを決定すると、アクセスネットワークは、共用マルチキャストサービストラヒックチャネルのための情報を含むマルチキャストチャネル割り当てメッセージ（ＭＣＡＭ）などの共通チャネル割り当てメッセージを送信する。したがって、ＭＣＡＭは関心のある加入者設備に共用チャネルを割り当てるためにマルチキャストアドレスを使用する。
【０１３６】
前述されたように、ＧＲＯＵＰ＿ＩＤによって識別されるグループに属する加入者設備は、ページングチャネル上で必ずしも同じスロットを割り当てられない。その結果として、マルチキャストコール開始情報を送達するための効率的な方法を有効にするための方法が必要とされる。
【０１３７】
ある実施形態では、通知受信時に、加入者設備は、非スロットモードでページングチャネルを監視することが必要とされる。その結果として、ＭＣＡＭは任意のページングチャネルスロットで送信されてよい。
【０１３８】
別の実施形態では、ＭＣＡＭは、スロットを決定し、マルチキャストアドレス指定通知を送信するために利用される同じ方法を使用してスロット上で送信される。
【０１３９】
別の実施形態では、共通オーバヘッドメッセージまたは共通ページメッセージは、加入者設備がＭＣＡＭを監視することを必要とされる、ページングチャネルスロット番号を示す。
【０１４０】
別の実施形態では、ＭＣＡＭは加入者設備により監視されるスロットのそれぞれで送信される。
【０１４１】
説明された実施形態が個別指導のためだけに別々に処理されたことが当業者によって理解されるであろう。通信システムはマルチキャストサービスに適切な実施形態を使用する。実施形態の選択は、例えば通知の中で指定されてよい。
【０１４２】
いったん加入者設備がメッセージを処理すると、関心のある加入者設備（複数の場合がある）はマルチキャストサービストラヒックを受信するために割り当てられたチャネルの監視を開始する。
【０１４３】
前述された実施形態によるメッセージフローの例が、図１６に描かれる。瞬間ｔ１で、セクタＳは、マルチキャストコールが開始する識別子ＧＲＯＵＰ＿ＩＤｘ付きのグループを備える、加入者設備ＭＳ＿１とＭＳ＿２のアイデンティティ、ＧＲＯＵＰ＿ＩＤｘを受信する。代わりに、セクタＳはグループ識別子ＧＲＯＵＰ＿ＩＤｘを受信する。情報は、基地局コントローラ、ＰＳＴＮ、情報源（不指示）および他のエンティティなどの通信システムの別のエンティティにより提供されてよい。次に、セクタＳは、例えばデータベースを照会することによって加入者設備ＭＳ＿１とＭＳ＿２のアイデンティティを決定する。セクタＳは、次に加入者設備ＭＳ＿１とＭＳ＿２ごとに識別子ＧＲＯＵＰ＿ＩＤｘを含む個々のＭＣＰを作成し、一般ページメッセージ（ＧＰＭ）などのページメッセージの中にＭＣＰを含める。
【０１４４】
次に、セクタＳは、メンバー加入者設備ＭＳ＿１とＭＳ＿２によって監視されるページングチャネル上のスロットを決定する。時間ｔ２で、メンバー加入者設備ＭＳ＿１によって監視されるスロットでは、セクタＳがＧＰＭ（ＭＣＰ：ＧＲＯＵＰ＿ＩＤｘ）を送信する。加入者設備ＭＳ＿１はＧＰＭ（ＧＲＯＵＰ＿ＩＤｘ）を受信し、時間ｔ３で応答を送信する。
【０１４５】
時間ｔ４で、メンバー加入者設備ＭＳ＿２によって監視されるスロットで、セクタＳはＧＰＭ（ＭＣＰ：ＧＲＯＵＰ＿ＩＤｘ）を送信する。加入者設備ＭＳ＿２はＧＰＭ（ＭＣＰ：ＧＲＯＵＰ＿ＩＤｘ）を受信し、時間ｔ５で応答を送信する。
【０１４６】
応答受信時、チャネル割り当てを担当するアクセスネットワークのエンティティは、共用チャネルを割り当てることを決定する。セクタＳは、加入者設備ＭＳ＿１によって監視されるページングスロットを時間ｔ６まで待機してから、加入者設備ＭＳ＿１に個々のＩＣＡＭ（チャネル割り当て情報）を伝達する。加入者設備ＭＳ＿１はＩＣＡＭを処理し、識別されたマルチキャストコールが送信されている物理チャネルに同調し、監視を開始するなどの適切な処置を講じる。
【０１４７】
同様に、セクタＳは、加入者設備ＭＳ＿２によって監視されるページングスロットを時間ｔ７まで待機してから、加入者設備ＭＳ＿２に個々のＩＣＡＭ（チャネル割り当て情報）を伝達する。加入者設備ＭＳ＿２はＩＣＡＭを処理し、識別されたマルチキャストコールが送信されている物理チャネルに同調し、監視を開始するなどの適切な処置を講じる。
【０１４８】
時間ｔ８で、マルチキャストサービスのコンテンツはトラヒックチャネル（Ｇｒｏｕｐ＿ＩＤｘのためのトラヒック）で送信を開始される。
【０１４９】
別の実施形態では、エンティティが共用チャネルを割り当てることを決定すると、アクセスネットワークは、共用マルチキャストサービストラヒックチャネルのための情報を含む個々のチャネル割り当てメッセージ（ＩＣＭＡ）をそれぞれの応答するメンバー加入者設備に送信する。ＩＳ−２０００規格に従った通信システムに関連して、ＩＣＡＭは、例えば、拡張チャネル割り当てメッセージを備えることができる。
【０１５０】
アクセスネットワークは、通知送信時に個々の加入者設備のアイデンティティを必ずしも知らなかったが、加入者設備からの応答受信時にアイデンティティが明らかにされたため、このような個々の割り当てが可能になる。
【０１５１】
共用マルチキャストサービストラヒックチャネルはポイントツーポイント呼においてのように個別に割り当てられるため、ポイントツーポイントトラヒックチャネル割り当てのために既知の任意の方法を使用することができる。その結果として、アクセスネットワークは、関心のある加入者設備のそれぞれがいつページングチャネルを監視するのかを知っているため、それぞれの加入者設備のためにＩＣＡＭをいつ送信するのかという問題は存在しない。
【０１５２】
前述された実施形態によるメッセージフローの例は図１７に描かれている。瞬間ｔ１で、セクタＳは、マルチキャストコールが開始する識別子ＧＲＯＵＰ＿ＩＤｘ付きのグループを備える加入者設備ＭＳ＿１とＭＳ＿２のアイデンティティ、ＧＲＯＵＰ＿ＩＤｘを受信する。代わりに、セクタＳがグループ識別子ＧＲＯＵＰ＿ＩＤｘを受信する。情報は、基地局コントローラ、ＰＳＴＮ、情報源（図示せず）、および他のエンティティなどの通信システムの別のエンティティによって提供されてよい。セクタＳは、次に、例えばデータベースを照会することによって加入者設備ＭＳ＿１とＭＳ＿２のアイデンティティを決定する。セクタＳは次に、加入者設備ＭＳ＿１とＭＳ＿２それぞれのための識別子ＧＲＯＵＰ＿ＩＤｘを含む個別ＭＣＰを作成し、一般ページメッセージ（ＧＰＭ）などのページメッセージの中にＭＣＰを含める。
【０１５３】
セクタＳは、次にメンバー加入者設備ＭＳ＿１とＭＳ＿２によって監視されるページングチャネル上のスロットを決定する。時間ｔ２で、メンバー加入者設備ＭＳ＿１によって監視されるスロットで、セクタＳはＧＰＭ（ＭＣＰ：ＧＲＯＵＰ＿ＩＤｘ）を送信する。加入者設備ＭＳ＿１はＧＰＭ（ＧＲＯＵＰ＿ＩＤｘ）を受信し、時間ｔ３で応答を送信する。
【０１５４】
時間ｔ４で、メンバー加入者設備ＭＳ＿２によって監視されるスロットで、セクタＳはＧＰＭ（ＭＣＰ：ＧＲＯＵＰ＿ＩＤｘ）を送信する。加入者設備ＭＳ＿２はＧＰＭ（ＧＲＯＵＰ＿ＩＤｘ）を受信し、時間ｔ５で応答を送信する。
【０１５５】
応答受信時、チャネル割り当てを担当するアクセスネットワークのエンティティは共用チャネルを割り当てることを決定する。セクタＳは各加入者設備ＭＳ＿１とＭＳ＿２に、例えばＩＣＡＭなどの個別チャネル割り当てメッセージを送信する方法を決定し、時間ｔ６とｔ７で共用マルチキャストサービストラヒックチャネルＩＣＡＭ（チャネル割り当て情報）のための情報を含むＩＣＡＭを送信する。加入者設備ＭＳ＿１とＭＳ＿２はＩＣＡＭを処理し、識別されたマルチキャストコールが時間ｔ７で送信されている物理チャネルに同調し、監視を開始するなどの適切な処置を講じる。時間ｔ７で、マルチキャストサービスのコンテンツはトラヒックチャネル（Ｇｒｏｕｐ＿ＩＤｘ用のトラヒック）上で送信を開始される。
【０１５６】
別の実施形態では、エンティティが専用チャネルを割り当てると決定すると、アクセスネットワークが専用マルチキャストサービストラヒックチャネルのための情報を含む共通チャネル割り当てメッセージ、マルチキャストチャネル割り当てメッセージ（ＭＣＡＭ）を送信する。したがって、ＭＣＡＭは、関心のある加入者設備に共用チャネルを割り当てるためにマルチキャストアドレスを使用する。
【０１５７】
前述されたように、ＧＲＯＵＰ＿ＩＤにより識別されるグループに属する加入者設備はページングチャネル上で必ずしも同じスロットを割り当てられない。その結果として、マルチキャストコール開始情報を送達するための効率的な方法を有効にする方法が必要とされる。
【０１５８】
ある実施形態では、通知受信時に、加入者設備が、非スロットモードでページングチャネルを監視することを必要とされる。その結果として、ＭＣＡＭは任意のページングチャネルスロットで送信されてよい。
【０１５９】
別の実施形態では、ＭＣＡＭはスロットを決定し、マルチキャストアドレス指定通知を送信するために利用される同じ方法を使用してスロットで送信される。
【０１６０】
別の実施形態では、共通オーバヘッドメッセージまたは共通ページメッセージは、加入者設備がＭＣＡＭを監視することを必要とされるページングチャネルスロット番号を示す
別の実施形態では、ＭＣＡＭは加入者設備により監視されるスロットのそれぞれで送信される。
【０１６１】
説明された実施形態が個別指導のために別個に取り扱われたことが当業者によって理解されるであろう。通信システムは、マルチキャストサービスに適切な実施形態を使用する。実施形態の選択は、例えば通知で指定されてよい。
【０１６２】
加入者設備がいったんメッセージを処理すると、関心のある加入者設備（複数の場合がある）は、マルチキャストサービストラヒックを受信するために割り当てられたチャネルの監視を開始する。
【０１６３】
前述された実施形態によるメッセージフローの例は、図１８に描かれている。瞬間ｔ１で、セクタＳは、マルチキャストコールが開始する識別子ＧＲＯＵＰ＿ＩＤｘ付きのグループを備える加入者設備ＭＳ＿１とＭＳ＿２のアイデンティティ、ＧＲＯＵＰ＿ＩＤｘを受信する。代わりに、セクタＳはグループ識別子ＧＲＯＵＰ＿ＩＤｘを受信する。情報は、基地局コントローラ、ＰＳＴＮ、情報源（図示せず）、および他のエンティティなどの通信システムの別のエンティティにより提供されてよい。セクタＳは、次に、例えばデータベースを照会することによって加入者設備ＭＳ＿１とＭＳ＿２のアイデンティティを決定する。セクタＳは、次に、各加入者設備ＭＳ＿１とＭＳ＿２ごとに識別子ＧＲＯＵＰ＿ＩＤｘを含む個別ＭＣＰを作成し、一般ページメッセージ（ＧＰＭ）などのページメッセージにＭＣＰを含める。
【０１６４】
セクタＳは、次に、メンバー加入者設備ＭＳ＿１とＭＳ＿２により監視されるページングチャネル上のスロットを決定する。時間ｔ２で、メンバー加入者設備ＭＳ＿１によって監視されるスロットで、セクタＳはＧＰＭ（ＭＣＰ：ＧＲＯＵＰ＿ＩＤｘ）を送信する。加入者設備ＭＳ＿１は、ＧＰＭ（ＧＲＯＵＰ＿ＩＤｘ）を受信し、時間ｔ３で応答を送信する。
【０１６５】
時間ｔ４で、メンバー加入者設備ＭＳ＿２によって監視されるスロットで、セクタＳはＧＰＭ（ＭＣＰ：ＧＲＯＵＰ＿ＩＤｘ）を送信する。加入者設備ＭＳ＿２は、ＧＰＭ（ＧＲＯＵＰ＿ＩＤｘ）を受信し、時間ｔ５で応答を送信する。
【０１６６】
応答受信時、チャネル割り当てを担当するアクセスネットワークのエンティティは、専用チャネルを割り当てることを決定する。セクタＳは、ＭＣＡＭなどの共通チャネル割り当てメッセージを送信する方法を決定し、時間ｔ６で専用マルチキャストサービストラヒックチャネルＭＣＡＭ（ＭＳ＿１用のチャネル割り当て情報、ＭＳ＿２のためのチャネル割り当て情報）を含むＭＣＡＭを送信する。加入者設備ＭＳ＿１とＭＳ＿２はＭＣＡＭを処理し、識別されたマルチキャストコールが時間ｔ７とｔ８で送信されている専用物理チャネルＭＳ＿１のためのトラヒックとＭＳ＿２のためのトラヒックに同調し、監視を開始するなどの適切な処置を講じる。
【０１６７】
別の実施形態では、エンティティが専用チャネルを割り当てることを決定すると、アクセスネットワークは、それぞれの応答するメンバー加入者設備に共用マルチキャストサービストラヒックチャネルのための情報を含む個別チャネル割り当てメッセージ（個別チャネル割り当てメッセージ−ＩＣＡＭ）を送信する。ＩＳ−２０００規格に従った通信システムの関連では、ＩＣＡＭは、例えば拡張チャネル割り当てメッセージを備えることができる。
【０１６８】
共用マルチキャストサービストラヒックチャネルはポイントツーポイント呼においてのように個別に割り当てられているため、ポイントツーポイントトラヒックチャネル割り当てについて既知の任意の方法を使用できる。その結果として、アクセスネットワークは、関心のある加入者設備のそれぞれがいつページングチャネルを監視するのかを知っているため、加入者設備ごとにＩＣＡＭをいつ送信するのかという問題は存在しない。
【０１６９】
前述された実施形態によるメッセージフローの例は、図１９に描かれている。瞬間ｔ１で、セクタＳは、マルチキャストコールが開始する識別子ＧＲＯＵＰ＿ＩＤｘ付きのグループを備える加入者設備ＭＳ＿１とＭＳ＿２のアイデンティティＧＲＯＵＰ＿ＩＤ＿ｘを受信する。代わりに、セクタＳは、グループ識別子ＧＲＯＵＰ＿ＩＤｘを受信する。情報は、例えば基地局コントローラ、ＰＳＴＮ、情報源（図示せず）および他のエンティティなどの通信システムの別のエンティティにより提供されてよい。セクタＳは、次に、例えばデータベースを照会することによって、加入者設備ＭＳ＿１とＭＳ＿２のアイデンティティを決定する。それから、セクタＳは、各加入者設備ＭＳ＿１とＭＳ＿２のための識別子ＧＲＯＵＰ＿ＩＤｘを含む個別ＭＣＰを作成し、一般ページメッセージ（ＧＰＭ）などのページメッセージの中にＭＣＰを含める。
【０１７０】
セクタＳは、次にメンバー加入者設備ＭＳ＿１とＭＳ＿２によって監視されるページングチャネル上のスロットを決定する。時間ｔ２で、メンバー加入者設備ＭＳ＿１により監視されるスロットにおいて、セクタＳがＧＰＭ（ＭＣＰ：ＧＲＯＵＰ＿ＩＤｘ）を送信する。加入者設備ＭＳ＿１は、ＧＰＭ（ＧＲＯＵＰ＿ＩＤｘ）を受信し、時間ｔ３で応答を送信する。
【０１７１】
時間ｔ４で、メンバー加入者設備ＭＳ＿２によって監視されるスロットにおいて、セクタＳはＧＰＭ（ＭＣＰ：ＧＲＯＵＰ＿ＩＤｘ）を送信する。加入者設備ＭＳ＿２は、ＧＰＭ（ＧＲＯＵＰ＿ＩＤｘ）を受信し、時間ｔ５で応答を送り返す。
【０１７２】
応答を受信すると、チャネル割り当てを担当するアクセスネットワークのエンティティは専用チャネルを割り当てることを決定する。セクタＳは、加入者設備ＭＳ＿１によって監視されるページングスロットを時間ｔ６まで待機してから、個別ＩＣＡＭ（ＭＳ＿１のためののチャネル割り当て情報）を加入者設備ＭＳ＿１に伝達する。加入者設備ＭＳ＿１はＩＣＡＭを処理し、時間ｔ７で加入者設備ＭＳ＿１のための識別されたマルチキャストコールが送信されている（ＭＳ＿１のためのトラヒック）物理チャネルに同調し、監視を開始するなどの適切な処置を講じる。
【０１７３】
同様に、セクタＳは、加入者設備ＭＳ＿２によって監視されるページングスロットを時間ｔ８まで待機してから、加入者設備ＭＳ＿２に個別ＩＣＡＭ（ＭＳ＿２のためのチャネル割り当て情報）を伝達する。加入者設備ＭＳ＿２はＩＣＡＭを処理し、例えば加入者設備ＭＳ＿２に対する識別されたマルチキャストコールが時間ｔ９で送信されている（ＭＳ＿２のためのトラヒック）物理チャネルに同調し、監視を開始するなどの適切な処置を講じる。
【０１７４】
前述された実施形態が個別指導のためだけに別々に取り扱われたことが当業者により理解される。通信システムはマルチキャストサービスに適切な任意の実施形態を使用する。例えば、そのメンバーがさまざまなセクタのカバレージエリア内にいるマルチキャストグループに送達されるマルチキャストコールの場合、各セクタはさまざまな実施形態を使用してよい。したがって、あるセクタはマルチキャスト通知を使用し、応答を必要とし、専用チャネルを割り当ててよい。別のセクタは個々の通知を使用し、応答を必要とし、共用チャネルを割り当ててよい。しかし別のセクタがマルチキャスト通知を使用し、応答を必要とし、いくつかの加入者設備に対して共用チャネルを、残りの加入者設備に対して専用チャネルを割り当ててよい。
【０１７５】
当業者は、フローチャート図は理解のために連続順序で描画されているが、特定のステップは、実際においては平行して実行できることを理解するであろう。
【０１７６】
当業者は、情報および信号が多岐に渡る異なる技術および技法のどれかを使用して表現されてよいことを理解するであろう。例えば、前記説明全体で参照されてよいデータ、命令、コマンド、情報、信号、ビット、記号およびチップは、電圧、電流、電磁波、磁場または磁粉、光学場または光学粒子、あるいはこの任意の組み合わせによって表されてよい。
【０１７７】
当業者はさらに、ここに開示されている実施形態に関連して説明された多様な例示的な論理ブロック、モジュール、回路およびアルゴリズムステップが電子ハードウェア、コンピュータソフトウェア、あるいは両方の組み合わせとして実現されてよいことを理解するであろう。ハードウェアとソフトウェアのこの互換性を明確に説明するために、多様な例示的な構成部品、ブロック、モジュール、回路およびステップが、概してそれらの機能性に関して前述されてきた。このような機能性がハードウェアまたはソフトウェアとして実現されるかどうかは、特定の用途、および全体的なシステムに課される設計制約に依存している。当業者は、それぞれの特定用途について変化する方法で説明された機能性を実現してよいが、このような実施の決断は、本発明の範囲からの逸脱を引き起こすと解釈されてはならない。
【０１７８】
ここに開示される実施形態に関連して説明された多様な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理装置、離散ゲートまたはトランジスタ論理、離散ハードウェア構成部品またはここに説明されているような機能を実行するように設計されたそれらの組み合わせを使用して実現または実行されてよい。汎用プロセッサはマイクロプロセッサであってよいが、代替では、プロセッサは任意の従来のプロセッサ、コントローラ、マイクロコントローラ、または状態機械であってよい。プロセッサは、ＤＳＰとマイクロプロセッサの組み合わせ、複数台のマイクロプロセッサ、ＤＳＰコアと１台または複数台のマイクロプロセッサなどのコンピュータ装置の組み合わせ、または任意の他のこのような構成として実現されてもよい。
【０１７９】
ここに開示された実施形態に関連して説明された方法またはアルゴリズムのステップは、ハードウェアで直接的に、プロセッサによって実行されるソフトウェアモジュールで、あるいはこの２つの組み合わせで具現化されてよい。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭまたは他の形式の技術で既知の記憶媒体に常駐してよい。例示的な記憶媒体は、プロセッサが、記憶媒体から情報を読み取り、記憶媒体に情報を書き込むことができるようにプロセッサに結合されている。代替においては、記憶媒体はプロセッサに一体であってよい。プロセッサおよび記憶媒体はＡＳＩＣに常駐してよい。ＡＳＩＣはユーザ端末に常駐してよい。代替においては、プロセッサおよび記憶媒体はユーザ端末の離散構成部品として常駐してよい。
【０１８０】
開示された実施形態の前記説明は、当業者が本発明を製造する、あるいは使用することができるようにするために提供されている。これらの実施形態に対する多様な変型は当業者に容易に明らかとなり、ここに定義される総称的な原理は本発明の精神または範囲から逸脱することなく他の実施形態に適用されてよい。したがって、本発明は、ここに示されている実施形態に限定されるものではなく、ここに開示されている原則および新規特徴と一貫した最大の範囲を与えられるべきである。
【０１８１】
本特許文書の開示の一部は、著作権保護の対象となっている資料を含む。それが特許庁特許ファイルまたはレコードに記載されているため、著作権者は、特許文書または特許開示の誰かによるファクシミリの再生に異存はない。しかしながら、それ以外の場合すべての著作権を留保する。
【図面の簡単な説明】
【０１８２】
【図１】本発明の実施形態に従ってマルチキャストサービスを提供できる通信システムの概念ブロック図である。
【図２】通知のある実施形態に従ったメッセージフローを描く図である。
【図３】ページメッセージの概念図である。
【図４】通知の別の実施形態に従ったメッセージフローを描く図である。
【図５】順方向クイックページングチャネル上で伝達されるシグナリングと、順方向共通制御チャネルまたはある実施形態における順方向ページングチャネルの上で伝達されるシグナリングの間の関係性を描く図である。
【図６】通知の別の実施形態に従ったメッセージフローを描く図である。
【図７】別の実施形態に従って順方向クイックページングチャネルと順方向共通制御チャネルまたは順方向ページングチャネルの上で伝達されるシグナリングの間の関係性を描く図である。
【図８】通知の別の実施形態に従ったメッセージフローを描く図である。
【図９】応答／チャネル割り当ての別の実施形態に従ったメッセージフローを描く図である。
【図１０】応答／チャネル割り当ての別の実施形態に従ったメッセージフローを描く図である。
【図１１】応答／チャネル割り当ての別の実施形態に従ったメッセージフローを描く図である。
【図１２】応答／チャネル割り当ての別の実施形態に従ったメッセージフローを描く図である。
【図１３】応答／チャネル割り当ての別の実施形態に従ったメッセージフローを描く図である。
【図１４】応答／チャネル割り当ての別の実施形態に従ったメッセージフローを描く図である。
【図１５】応答／チャネル割り当ての別の実施形態に従ったメッセージフローを描く図である。
【図１６】応答／チャネル割り当ての別の実施形態に従ったメッセージフローを描く図である。
【図１７】応答／チャネル割り当ての別の実施形態に従ったメッセージフローを描く図である。
【図１８】応答／チャネル割り当ての別の実施形態に従ったメッセージフローを描く図である。
【図１９】応答／チャネル割り当ての別の実施形態に従ったメッセージフローを描く図である。
【図１】
2005533414.tif 000003
【図２】
2005533414.tif 000004
【図３】
2005533414.tif 000005
【図４】
2005533414.tif 000006
【図５】
2005533414.tif 000007
【図６】
2005533414.tif 000008
【図７】
2005533414.tif 000009
【図８】
2005533414.tif 000010
【図９】
2005533414.tif 000011
【図１０】
2005533414.tif 000012
【図１１】
2005533414.tif 000013
【図１２】
2005533414.tif 000014
【図１３】
2005533414.tif 000015
【図１４】
2005533414.tif 000016
【図１５】
2005533414.tif 000017
【図１６】
2005533414.tif 000018
【図１７】
2005533414.tif 000019
【図１８】
2005533414.tif 000020
【図１９】
2005533414.tif 000021
【国際調査報告】
2005533414.tif 000022
2005533414.tif 000023
2005533414.tif 000024
2005533414.tif 000025